(57)【要約】【課題】折機並びに印刷機及び印刷方法において、異なる種類の印刷物を同時に印刷可能とすることで作業効率の向上を図ると共に装置の大型化を抑制可能とする。【解決手段】折ユニットＦ１として、折鋸胴２１と咥え胴２２を設け、折鋸胴２１に鋸刃２７，２８を設けると共に、折鋸胴２１に裁断されたシートＳを折り畳む第１折込ユニットを設ける一方、咥え胴２２に裁断されたシートＳを折り畳む第２折込ユニットを設け、また、裁断されたシートＳをこの第１折込ユニットと第２折込ユニットとの間で振り分ける振分手段を設ける。【選択図】      図３
2010202384.tif 000002
【特許請求の範囲】
【請求項１】
外周面が対向して回転自在に支持される第１胴及び第２胴と、
前記第１胴と前記第２胴の少なくともいずれか一方に設けられて搬送されるウェブを所定長さに裁断する裁断手段と、
前記第１胴と前記第２胴の両方に設けられて前記裁断手段により裁断されたシートを折り畳む第１折込手段及び第２折込手段と、
前記裁断手段により裁断されたシートを前記第１折込手段と前記第２折込手段との間で振り分ける振分手段と、
を備えることを特徴とする折機。
【請求項２】
前記第１胴の外周部に、ウェブの前端部を保持する第１針装置及び第２針装置と、前記裁断手段としての第１鋸刃及び第２鋸刃と、前記第１折込手段及び第２折込手段としての第１折込ブレード及び第２折込ブレードとがそれぞれ複数均等間隔で設けられると共に、前記第１胴に隣接して、前記第１折込ブレードにより前記第１胴から突出したシートを挟持して折帖を形成する一対の折込ローラが設けられる一方、
前記第２胴の外周部に、前記第２折込ブレードにより前記第１胴から突出したシートを咥える咥え装置が設けられる、
ことを特徴とする請求項１に記載の折機。
【請求項３】
前記第１胴は、前記第１鋸刃及び前記第２鋸刃を有する鋸機構と、前記第１針装置及び前記第２針装置と前記第１折込ブレード及び前記第２折込ブレードを有する折機構を有することを特徴とする請求項２に記載の折機。
【請求項４】
前記振分手段は、前記第１針装置と前記第１折込ブレードからなる第１折込ユニットと、前記第２針装置と前記第２折込ブレードからなる第２折込ユニットが、前記第１胴の外周部に所定間隔で設けられることで構成されることを特徴とする請求項１から３のいずれか一つに記載の折機。
【請求項５】
前記第１胴の外周部に、ウェブの前端部を保持する第１針装置と、前記裁断手段としての第１鋸刃と、前記第１折込手段としての第１折込ブレードが設けられると共に、前記第１胴に隣接して、前記第１折込ブレードにより前記第１胴から突出したシートを挟持して折帖を形成する一対の折込ローラが設けられる一方、
前記第２胴の外周部に、ウェブの前端部を保持する第２針装置と、前記裁断手段としての第２鋸刃と、前記第１折込手段としての第２折込ブレードが設けられると共に、前記第２胴に隣接して、前記第２折込ブレードにより前記第２胴から突出したシートを挟持して折帖を形成する一対の折込ローラが設けられる、
ことを特徴とする請求項１に記載の折機。
【請求項６】
前記振分手段は、前記第１針装置と前記第１鋸刃と前記第１折込ブレードからなる第１折込ユニットと、前記第２針装置と前記第２鋸刃と前記第２折込ブレードからなる第２折込ユニットが、前記第１胴の外周部と前記第２胴の外周部に所定角度異なる位相で設けられることで構成されることを特徴とする請求項５に記載の折機。
【請求項７】
前記第１胴の外周部に、ウェブの前端部を保持する第１針装置と、前記裁断手段としての第１鋸刃と、前記第２折込手段としての第２折込ブレードと、前記第２胴の外周部に設けられた前記第１折込手段としての第１折込ブレードにより前記第２胴から突出したシートを咥える第１咥え装置が設けられる一方、
前記第２胴の外周部に、ウェブの前端部を保持する第２針装置と、前記裁断手段としての第２鋸刃と、前記１第折込ブレードと、前記第２折込ブレードにより前記第１胴から突出したシートを咥える第２咥え装置が設けられる、
ことを特徴とする請求項１に記載の折機。
【請求項８】
前記振分手段は、前記第１針装置と前記第１鋸刃と前記第２折込ブレードと前記第１咥え装置からなる第１折込ユニットと、前記第２針装置と前記第２鋸刃と前記第１折込ブレードと前記第２咥え装置からなる第２折込ユニットが、前記第１胴の外周部と前記第２胴の外周部に所定角度異なる位相で設けられることで構成されることを特徴とする請求項７に記載の折機。
【請求項９】
シートを前記第１折込手段と前記第２折込手段との間で振り分ける第１振分け形態と、シートを前記第１折込手段のみに振り分ける第２振分け形態と、シートを前記第２折込手段のみに振り分ける第３振分け形態とのいずれか一つに切り替える切替手段を設けることを特徴とする請求項１から８のいずれか一つに記載の折機。
【請求項１０】
複数重ねられたウェブを裁断して折り畳む第１折ユニット及び第２折ユニットを備える折機において、
前記第１折ユニットは、
外周面が対向して回転自在に支持される第１胴及び第２胴と、
前記第１胴と前記第２胴の少なくともいずれか一方に設けられて搬送されるウェブを所定長さに裁断する第１裁断手段と、
前記第１胴と前記第２胴の両方に設けられて前記第１裁断手段により裁断されたシートを折り畳む第１折込手段及び第２折込手段と、
前記第１裁断手段により裁断されたシートを前記第１折込手段と前記第２折込手段との間で振り分ける振分手段と、を有し、
前記第２折ユニットは、
外周面が対向して回転自在に支持される第３胴及び第４胴と、
前記第３胴と前記第４胴の一方に設けられて搬送されるウェブを所定長さに裁断する第２裁断手段と、
前記第３胴と前記第４胴の一方または他方に設けられて前記第２裁断手段により裁断されたシートを折り畳む第３折込手段と、を有する、
ことを特徴とする折機。
【請求項１１】
巻取紙からウェブを供給する給紙装置と、
前記給紙装置から繰り出されたウェブに印刷を行う印刷装置と、
前記印刷装置により印刷が施されたウェブを断裁すると共に重ねて折り畳むことで折帖を形成する折機と、を備え、
前記印刷装置は、周方向に並んで異なる種類の刷版を複数装着可能な版胴を有すると共に、前記版胴と同径のブランケット胴を有し、
前記折機は、
外周面が対向して回転自在に支持される第１胴及び第２胴と、
前記第１胴と前記第２胴の少なくともいずれか一方に設けられて搬送されるウェブを所定長さに裁断する裁断手段と、
前記第１胴と前記第２胴の両方に設けられて前記裁断手段により裁断されたシートを折り畳む第１折込手段及び第２折込手段と、
前記裁断手段により裁断されたシートを同じ種類のシートごとに前記第１折込手段と前記第２折込手段との間で振り分ける振分手段と、を有する、
ことを特徴とする印刷機。
【請求項１２】
前記第１胴及び前記第２胴は、前記版胴の一回転で印刷される印刷物の構成数に対して、その整数倍の折込手段が周方向に沿って設けられることを特徴とする請求項１１に記載の印刷機。
【請求項１３】
巻取紙から繰り出されたウェブに対して異なる種類の印刷を交互に行い、
印刷済のウェブを異なる種類ごとのシートに裁断し、
裁断されたシートを同じ種類印刷ごとに振り分けると共に折り畳んで折帖を形成し、
同じ種類のシートごとに排紙する、
ことを特徴とする印刷方法。
【発明の詳細な説明】
【技術分野】
【０００１】
本発明は、複数の折ユニットを有する折機、複数の印刷ユニット及び複数の折ユニットを有する印刷機及び印刷方法に関するものである。
【背景技術】
【０００２】
例えば、一般的な新聞用オフセット輪転印刷機は、複数の給紙ユニットを有する給紙装置と、複数の印刷ユニットを有する印刷装置と、ウェブパス装置と、複数の折ユニットを有する折機と、排紙装置とから構成されている。従って、給紙装置から各印刷ユニットにウェブが供給されると、各ウェブに対して各印刷ユニットにより印刷が施され、ウェブパス装置で多数のウェブの走行ルートが変更されてから所定の順番に重ね合わされた後、折機にて、ウェブが縦折りされてから所定の長さで横裁断され、横折されることで折帖が形成され、印刷物（新聞）として排紙される。
【０００３】
このような新聞用オフセット輪転印刷機にて、１台の印刷機により２種類の印刷物、つまり、新聞を印刷したいという要望がある。但し、新聞社は、新聞を、最終の記事を載せ、工場から発送する直前に印刷したい。従来の新聞用オフセット輪転印刷機では、複数の印刷ユニットに加え、２つの折ユニットを有していることから、複数の印刷ユニットを２つのグループに分け、この２グループの印刷ユニットと、２つの折ユニットを用いて２種類の新聞を同時に印刷することが可能となっている。
【０００４】
なお、このような従来の新聞用オフセット輪転印刷機としては、下記特許文献１に記載されたものがある。
【先行技術文献】
【特許文献】
【０００５】
【特許文献１】特開２００７−２０４２５５号公報
【発明の概要】
【発明が解決しようとする課題】
【０００６】
上述した従来の新聞用オフセット輪転印刷機では、左右に並んだ２つのフォーマと、各フォーマの下方に設けられた２つのニッピングローラと、各ニッピングローラの下方に設けられた折畳機構と、この折畳機構の下方に設けられた搬送コンベアとを設け、折畳機構として、ロータリフォルダとジョウフォルダを設けている。従って、２種類の新聞を同時に印刷することができる。
【０００７】
ところが、近年、１台の印刷機を用いて３種類以上の新聞を同時に印刷したい、つまり、１台の折機を用いて２種類の新聞を印刷したいという要望がある。上述した従来の新聞用オフセット輪転印刷機では、印刷ユニットを増加し、且つ、折ユニットを増加することで、３種類以上の新聞を同時に印刷することができるものの、印刷機の大型化を招いてしまうという問題がある。
【０００８】
本発明は上述した課題を解決するものであり、異なる種類の印刷物を同時に印刷可能とすることで作業効率の向上を図ると共に装置の大型化を抑制可能な折機並びに印刷機及び印刷方法を提供することを目的とする。
【課題を解決するための手段】
【０００９】
上記の目的を達成するための本発明の折機は、外周面が対向して回転自在に支持される第１胴及び第２胴と、前記第１胴と前記第２胴の少なくともいずれか一方に設けられて搬送されるウェブを所定長さに裁断する裁断手段と、前記第１胴と前記第２胴の両方に設けられて前記裁断手段により裁断されたシートを折り畳む第１折込手段及び第２折込手段と、前記裁断手段により裁断されたシートを前記第１折込手段と前記第２折込手段との間で振り分ける振分手段と、を備えることを特徴とするものである。
【００１０】
本発明の折機では、前記第１胴の外周部に、ウェブの前端部を保持する第１針装置及び第２針装置と、前記裁断手段としての第１鋸刃及び第２鋸刃と、前記第１折込手段及び第２折込手段としての第１折込ブレード及び第２折込ブレードとがそれぞれ複数均等間隔で設けられると共に、前記第１胴に隣接して、前記第１折込ブレードにより前記第１胴から突出したシートを挟持して折帖を形成する一対の折込ローラが設けられる一方、前記第２胴の外周部に、前記第２折込ブレードにより前記第１胴から突出したシートを咥える咥え装置が設けられる、ことを特徴としている。
【００１１】
本発明の折機では、前記第１胴は、前記第１鋸刃及び前記第２鋸刃を有する鋸機構と、前記第１針装置及び前記第２針装置と前記第１折込ブレード及び前記第２折込ブレードを有する折機構を有することを特徴としている。
【００１２】
本発明の折機では、前記振分手段は、前記第１針装置と前記第１折込ブレードからなる第１折込ユニットと、前記第２針装置と前記第２折込ブレードからなる第２折込ユニットが、前記第１胴の外周部に所定間隔で設けられることで構成されることを特徴としている。
【００１３】
本発明の折機では、前記第１胴の外周部に、ウェブの前端部を保持する第１針装置と、前記裁断手段としての第１鋸刃と、前記第１折込手段としての第１折込ブレードが設けられると共に、前記第１胴に隣接して、前記第１折込ブレードにより前記第１胴から突出したシートを挟持して折帖を形成する一対の折込ローラが設けられる一方、前記第２胴の外周部に、ウェブの前端部を保持する第２針装置と、前記裁断手段としての第２鋸刃と、前記第１折込手段としての第２折込ブレードが設けられると共に、前記第２胴に隣接して、前記第２折込ブレードにより前記第２胴から突出したシートを挟持して折帖を形成する一対の折込ローラが設けられることを特徴としている。
【００１４】
本発明の折機では、前記振分手段は、前記第１針装置と前記第１鋸刃と前記第１折込ブレードからなる第１折込ユニットと、前記第２針装置と前記第２鋸刃と前記第２折込ブレードからなる第２折込ユニットが、前記第１胴の外周部と前記第２胴の外周部に所定角度異なる位相で設けられることで構成されることを特徴としている。
【００１５】
本発明の折機では、前記第１胴の外周部に、ウェブの前端部を保持する第１針装置と、前記裁断手段としての第１鋸刃と、前記第２折込手段としての第２折込ブレードと、前記第２胴の外周部に設けられた前記第１折込手段としての第１折込ブレードにより前記第２胴から突出したシートを咥える第１咥え装置が設けられる一方、前記第２胴の外周部に、ウェブの前端部を保持する第２針装置と、前記裁断手段としての第２鋸刃と、前記第１折込ブレードと、前記第２折込ブレードにより前記第１胴から突出したシートを咥える第２咥え装置が設けられる、ことを特徴としている。
【００１６】
本発明の折機では、前記振分手段は、前記第１針装置と前記第１鋸刃と前記第２折込ブレードと前記第１咥え装置からなる第１折込ユニットと、前記第２針装置と前記第２鋸刃と前記第１折込ブレードと前記第２咥え装置からなる第２折込ユニットが、前記第１胴の外周部と前記第２胴の外周部に所定角度異なる位相で設けられることで構成されることを特徴としている。
【００１７】
本発明の折機では、シートを前記第１折込手段と前記第２折込手段との間で振り分ける第１振分け形態と、シートを前記第１折込手段のみに振り分ける第２振分け形態と、シートを前記第２折込手段のみに振り分ける第３振分け形態とのいずれか一つに切り替える切替手段を設けることを特徴としている。
【００１８】
本発明の折機は、複数重ねられたウェブを裁断して折り畳む第１折ユニット及び第２折ユニットを備える折機において、前記第１折ユニットは、外周面が対向して回転自在に支持される第１胴及び第２胴と、前記第１胴と前記第２胴の少なくともいずれか一方に設けられて搬送されるウェブを所定長さに裁断する第１裁断手段と、前記第１胴と前記第２胴の両方に設けられて前記第１裁断手段により裁断されたシートを折り畳む第１折込手段及び第２折込手段と、前記第１裁断手段により裁断されたシートを前記第１折込手段と前記第２折込手段との間で振り分ける振分手段と、を有し、前記第２折ユニットは、外周面が対向して回転自在に支持される第３胴及び第４胴と、前記第３胴と前記第４胴の一方に設けられて搬送されるウェブを所定長さに裁断する第２裁断手段と、前記第３胴と前記第４胴の一方または他方に設けられて前記第２裁断手段により裁断されたシートを折り畳む第３折込手段と、を有する、ことを特徴とするものである。
【００１９】
また、本発明の印刷機は、巻取紙からウェブを供給する給紙装置と、前記給紙装置から繰り出されたウェブに印刷を行う印刷装置と、前記印刷装置により印刷が施されたウェブを断裁すると共に重ねて折り畳むことで折帖を形成する折機と、を備え、前記印刷装置は、周方向に並んで異なる種類の刷版を複数装着可能な版胴を有すると共に、前記版胴と同径のブランケット胴を有し、前記折機は、外周面が対向して回転自在に支持される第１胴及び第２胴と、前記第１胴と前記第２胴の少なくともいずれか一方に設けられて搬送されるウェブを所定長さに裁断する裁断手段と、前記第１胴と前記第２胴の両方に設けられて前記裁断手段により裁断されたシートを折り畳む第１折込手段及び第２折込手段と、前記裁断手段により裁断されたシートを同じ種類のシートごとに前記第１折込手段と前記第２折込手段との間で振り分ける振分手段と、を有する、ことを特徴とするものである。
【００２０】
本発明の印刷機では、前記第１胴及び前記第２胴は、前記版胴の一回転で印刷される印刷物の構成数に対して、その整数倍の折込手段が周方向に沿って設けられることを特徴としている。
【００２１】
また、本発明の印刷方法は、巻取紙から繰り出されたウェブに対して異なる種類の印刷を交互に行い、印刷済のウェブを異なる種類ごとのシートに裁断し、裁断されたシートを同じ種類印刷ごとに振り分けると共に折り畳んで折帖を形成し、同じ種類のシートごとに排紙する、ことを特徴とするものである。
【発明の効果】
【００２２】
本発明の折機によれば、第１胴と第２胴の少なくとも一方にウェブを所定長さに裁断する裁断手段を設けると共に、第１胴と第２胴の両方に裁断されたシートを折り畳む第１折込手段及び第２折込手段を設け、また、裁断されたシートを第１折込手段と第２折込手段との間で振り分ける振分手段を設けている。従って、裁断手段によりウェブが所定長さに裁断されて形成されたシートは、振分手段により第１折込手段または第２折込手段に振り分けられ、この第１折込手段と第２折込手段により折り畳まれて折帖が形成されて排紙されることとなり、異なる種類の印刷物を第１折込手段側と第２折込手段側とで同時に印刷することができ、作業効率の向上を図ることができると共に、装置の大型化を抑制することができる。
【００２３】
本発明の折機によれば、第１胴に、第１針装置及び第２針装置と、第１鋸刃及び第２鋸刃と、第１折込ブレード及び第２折込ブレードとを複数均等間隔で設けると共に、第１胴に隣接してシートを挟持して折帖を形成する一対の折込ローラを設ける一方、第２胴に、シートを咥える咥え装置を設けるので、第１胴側を、所謂、ロータリフォルダタイプとし、第２胴側を、所謂、ジョウフォルダタイプとすることで、各構成部材の配置を簡素化することができ、装置の大型化を抑制することができる。
【００２４】
本発明の折機によれば、第１胴として、第１鋸刃及び第２鋸刃を有する鋸胴と、第１針装置及び第２針装置と第１折込ブレード及び第２折込ブレードを有する折胴を設けるので、第１胴を鋸胴と折胴により構成することで、鋸胴及び折胴に各構成部材を容易に配置することができ、装置の簡素化に寄与することができる。
【００２５】
本発明の折機によれば、振分手段を、第１針装置と第１折込ブレードからなる第１折込ユニットと、第２針装置と第２折込ブレードからなる第２折込ユニットを第１胴の外周部に所定間隔で設けることで構成するので、第１胴または折胴の回転に伴って第１折込ユニットと第２折込ユニットが交互に作動することで、シートを第１折込手段と第２折込手段とに振り分けることができ、装置の簡素化、高精度化に寄与することができる。
【００２６】
本発明の折機によれば、第１胴に、第１針装置と、第１鋸刃と、第１折込ブレードを設けると共に、第１胴に隣接してシートを挟持して折帖を形成する一対の折込ローラを設ける一方、第２胴に、第２針装置と、第２鋸刃と、第２折込ブレードを設けると共に、第２胴に隣接してシートを挟持して折帖を形成する一対の折込ローラを設けるので、第１胴側と第２胴側をそれぞれ、所謂、ロータリフォルダタイプとすることで、各構成部材を共用化することができ、装置の低コスト化を可能とすることができる。
【００２７】
本発明の折機によれば、振分手段を、第１針装置と第１鋸刃と第１折込ブレードからなる第１折込ユニットと、第２針装置と第２鋸刃と第２折込ブレードからなる第２折込ユニットを第１胴の外周部と第２胴の外周部に所定角度異なる位相で設けることで構成するので、第１胴または折胴の回転に伴って第１折込ユニットと第２折込ユニットが交互に作動することで、シートを第１折込手段と第２折込手段とに振り分けることができ、装置の簡素化、高精度化に寄与することができる。
【００２８】
本発明の折機によれば、第１胴に、第１針装置と、第１鋸刃と、第２折込ブレードと、第１咥え装置を設ける一方、第２胴に、第２針装置と、第２鋸刃と、第１折込ブレードと、第２咥え装置を設けるので、第１胴側と第２胴側をそれぞれ、所謂、ジョウフォルダタイプとすることで、各構成部材を共用化することができ、装置の低コスト化を可能とすることができる。
【００２９】
本発明の折機によれば、振分手段を、第１針装置と第１鋸刃と第２折込ブレードと第１咥え装置からなる第１折込ユニットと、第２針装置と第２鋸刃と第１折込ブレードと第２咥え装置からなる第２折込ユニットを、第１胴の外周部と第２胴の外周部に所定角度異なる位相で設けることで構成するので、第１胴または折胴の回転に伴って第１折込ユニットと第２折込ユニットが交互に作動することで、シートを第１折込手段と第２折込手段とに振り分けることができ、装置の簡素化、高精度化に寄与することができる。
【００３０】
本発明の折機によれば、シートを第１折込手段と第２折込手段との間で振り分ける第１振分け形態と、シートを第１折込手段のみに振り分ける第２振分け形態と、シートを第２折込手段のみに振り分ける第３振分け形態とのいずれか一つに切り替える切替手段を設けるので、印刷物の種類や部数に応じて使用する折込手段を選択することができ、汎用性を向上することができる。
【００３１】
本発明の折機によれば、第１折ユニット及び第２折ユニットを設け、第１折ユニットとして、第１胴と第２胴の少なくとも一方にウェブを所定長さに裁断する裁断手段を設けると共に、第１胴と第２胴の両方に裁断されたシートを折り畳む第１折込手段及び第２折込手段を設け、また、裁断されたシートを第１折込手段と第２折込手段との間で振り分ける振分手段を設け、前記第２折ユニットとして、第３胴と第４胴の一方にウェブを所定長さに裁断する裁断手段を設けると共に、第３胴と第４胴に裁断されたシートを折り畳む折込手段を設けている。従って、第１折ユニットにて、シートは、振分手段により第１折込手段または第２折込手段に振り分けられ、この第１折込手段と第２折込手段により折り畳まれて折帖が形成されて排紙されることとなり、一方、第２折ユニットにて、シートは、第３折込手段により折り畳まれて折帖が形成されて排紙されることとなり、異なる種類の印刷物を第１、第２、第３折込手段側で同時に印刷することができ、作業効率の向上を図ることができると共に、装置の大型化を抑制することができる。
【００３２】
また、本発明の印刷機によれば、給紙装置と印刷装置と折機とを設け、印刷装置として、周方向に並んで異なる種類の刷版を複数装着可能な版胴と、この版胴と同径のブランケット胴を設け、折機として、第１胴と第２胴の少なくとも一方にウェブを所定長さに裁断する裁断手段を設けると共に、第１胴と第２胴の両方に裁断されたシートを折り畳む第１折込手段及び第２折込手段を設け、また、裁断されたシートを第１折込手段と第２折込手段との間で振り分ける振分手段を設けている。従って、印刷装置にて、版胴に装着された異なる種類の刷版により異なる種類の印刷部が順に印刷されたウェブが形成されると、裁断手段により異なる種類の印刷部ごとに裁断されてシートが形成され、このシートは、振分手段により同じ印刷部を有するシートごとに第１折込手段と第２折込手段に振り分けられ、各折込手段により折り畳まれた異なる種類の折帖が別々に排紙されることとなり、異なる種類の印刷物を第１折込手段側と第２折込手段側とで同時に印刷することができ、作業効率の向上を図ることができると共に、装置の大型化を抑制することができる。
【００３３】
本発明の印刷機によれば、第１胴及び第２胴は、版胴の一回転で印刷される印刷物の構成数に対して、その整数倍の折込手段が周方向に沿って設けられるので、印刷物の構成数に応じて各折込手段により順次適正に折り畳まれ、振分手段により適正に振り分けられて排紙されることとなり、作業効率の向上を図ることができる。
【００３４】
また、本発明の印刷方法によれば、巻取紙から繰り出されたウェブに対して異なる種類の印刷を交互に行い、印刷済のウェブを異なる種類ごとのシートに裁断し、裁断されたシートを同じ種類印刷ごとに振り分けると共に折り畳んで折帖を形成し、同じ種類のシートごとに排紙している。従って、異なる種類の印刷物を第１折込手段側と第２折込手段側とで同時に印刷することができ、作業効率の向上を図ることができると共に、装置の大型化を抑制することができる。
【図面の簡単な説明】
【００３５】
【図１】図１は、本発明の実施例１に係る新聞用オフセット輪転印刷機を表す概略構成図である。
【図２】図２は、実施例１の折機を表す概略構成図である。
【図３】図３は、実施例１の折機における第１折畳機構を表す概略図である。
【図４】図４は、折鋸胴に対するカムを表す概略図である。
【図５】図５は、針装置の駆動機構を表す概略図である。
【図６】図６は、折込ブレードの駆動機構を表す概略図である。
【図７】図７は、実施例１の折機における第２折畳機構を表す概略図である。
【図８】図８は、ウェブに対する印刷絵柄を表す概略図である。
【図９】図９は、実施例１の折機の作動を説明するための構成図である。
【図１０】図１０は、実施例１の折機の作動を説明するための構成図である。
【図１１】図１１は、実施例１の折機の作動を説明するための構成図である。
【図１２】図１２は、本発明の実施例２に係る折機を表す概略構成図である。
【図１３】図１３は、本発明の実施例３に係る折機を表す概略構成図である。
【図１４】図１４は、本発明の実施例４に係る折機を表す概略構成図である。
【図１５】図１５は、本発明の実施例５に係る折機を表す概略構成図である。
【発明を実施するための形態】
【００３６】
以下に添付図面を参照して、本発明に係る折機並びに印刷機及び印刷方法の好適な実施例を詳細に説明する。なお、この実施例により本発明が限定されるものではない。
【実施例１】
【００３７】
図１は、本発明の実施例１に係る新聞用オフセット輪転印刷機を表す概略構成図、図２は、実施例１の折機を表す概略構成図、図３は、実施例１の折機における第１折畳機構を表す概略図、図４は、折鋸胴におけるカムを表す概略図、図５は、針装置の駆動機構を表す概略図、図６は、折込装置の駆動機構を表す概略図、図７は、実施例１の折機における第２折畳機構を表す概略図、図８は、ウェブに対する印刷絵柄を表す概略図、図９乃至図１１は、実施例１の折機の作動を説明するための構成図である。
【００３８】
実施例１の印刷機は、図１に示すように、新聞用オフセット輪転印刷機であって、複数（本実施例では、８台）の給紙ユニットＲ１〜Ｒ８を有する給紙装置Ｒと、複数（本実施例では、６台）の印刷ユニットＵ１〜Ｕ６を有する印刷装置Ｕと、ウェブパス装置Ｄと、複数（本実施例では、２個）の折ユニットＦ１，Ｆ２を有する折機Ｆとから構成されている。
【００３９】
なお、印刷ユニットＵ１〜Ｕ６を６台として説明したが、各印刷ユニットＵ１〜Ｕ６は、４色刷りが可能であると共に、上下に分割して１２台の印刷ユニットＵ１１，Ｕ１２，Ｕ２１・・・Ｕ６１，Ｕ６２として用いることができる。
【００４０】
また、図１にて、２つの折ユニットＦ１，Ｆ２を左右に並べて記載したが、実際には、紙面に直行する方向に並んで配置される操作側折ユニットＦ１と駆動側折ユニットＦ２となっている。更に、印刷装置Ｕを２つの部分から記載したが、機能上２つに分けて記載しただけであり、実際には、１つの装置となっている。
【００４１】
そして、本実施例の新聞用オフセット輪転印刷機では、図示しない建屋の１階に給紙装置Ｒ１〜Ｒ８が設置され、２階及び３階に印刷ユニットＵ１〜Ｕ６が設置され、３階から５階にウェブパス装置Ｄが設置され、また、２階、３階に折機Ｆが設置されている。
【００４２】
上述した給紙装置Ｒの給紙ユニットＲ１〜Ｒ８は、ほぼ同様の構成をなし、ウェブＷがロール状に巻かれた３つの巻取紙を保持する保持アーム１１が設けられ、この保持アーム１１を回動することで、巻取紙を給紙位置に回動することができる。また、この各給紙ユニットＲ１〜Ｒ８には、図示しない紙継装置が設けられており、給紙位置で繰り出されている巻取紙が残り少なくなると、この紙継装置により給紙位置にある巻取紙に対して、待機位置にある巻取紙を紙継することができる。
【００４３】
印刷装置Ｕの印刷ユニットＵ１〜Ｕ６は、両面４色印刷を行うことができる多色刷印刷ユニットである。但し、各印刷ユニットＵ１〜Ｕ８は、上下に分割することで、両面２色印刷を行うことができる印刷ユニットＵ１１〜Ｕ６２とすることができる。また、各印刷ユニットＵ１〜Ｕ３は、版胴１２の周長（直径）に対して、ブランケット胴１３の周長（直径）が２倍に設定される一方、各印刷ユニットＵ４〜Ｕ６は、版胴１４の周長（直径）及びブランケット胴１３の周長（直径）が２倍に設定されている。この場合、ブランケット胴１３，１５の周長（直径）は同じに設定されている。
【００４４】
即ち、版胴１２の周面には、周方向（ウェブＷの天地長さ方向）に沿って１つの刷版（図示略）が、軸方向（ウェブＷの幅方向）に沿って４つの刷版が着脱自在である。一方、版胴１４の周面には、周方向に沿って２つの刷版が、軸方向（ウェブＷの幅方向）に沿って４つの刷版が着脱自在である。
【００４５】
なお、本実施例では、印刷ユニットＵ１〜Ｕ６を、全て多色刷印刷ユニットにより構成したが、この構成に限定されるものではない。例えば、両面２色刷印刷ユニット、両面単色刷印刷ユニット、一面４色または単色刷印刷ユニットなど、印刷物に応じて適宜各種ユニットを組み合わせて使用すればよい。
【００４６】
ウェブパス装置Ｄは、ウェブの走行するための駆動力を付与するドラグローラ、ウェブＷを縦（ウェブＷの天地長手方向、ウェブＷの搬送方向）に沿ってその幅方向の中央部で裁断するスリッタ、縦裁断したウェブＷの搬送経路を設定するターンバー、ウェブＷにおける天地長手方向における搬送位置を調整するコンペンセータなどを有している。従って、各印刷ユニットＵ１〜Ｕ６で印刷が施された各ウェブＷは、ウェブパス装置Ｄにて、スリッタにより縦裁断され、ターンバーにより搬送経路が変更され、コンペンセータにより搬送位置が調整されてから所定の順番に重ね合わされる。
【００４７】
折機Ｆは、２つの折ユニットＦ１，Ｆ２を有しており、ウェブパス装置Ｄから複数のウェブＷが重ねられて導入されると、各折ユニットＦ１，Ｆ２にて、ウェブＷを縦折りし、所定の長さで横裁断し、横折りして折帖を形成し、新聞として排紙することができる。
【００４８】
ここで、折ユニットＦ１，Ｆ２を有する折機Ｆについて詳細に説明する。
【００４９】
折機Ｆにおいて、図２に示すように、最上部には、上述したウェブパス装置Ｄで所定の順番に重ねられたウェブＷ１を、縦折りする左右一対の三角板（フォーマ）１０１ａ，１０１ｂが設けられ、この三角板１０１ａ，１０１ｂの下方には、ウェブＷ２を縦折りする左右一対の三角板（フォーマ）２０１ａ，２０１ｂが設けられている。この場合、三角板１０１ａ，１０１ｂが折ユニットＦ１の構成部材であり、三角板２０１ａ，２０１ｂが折ユニットＦ２の構成部材である。
【００５０】
三角板２０１ａの下方には、リードインローラ１０２ａ，１０２ｂ、ニッピングローラ１０３ａ，１０３ｂが設けられている。そして、ニッピングローラ１０３ａ，１０３ｂの下方には、２つの折畳機能を有する第１折畳機構１０４が配置され、この第１折畳機構１０４の下方には、第１羽根車１０５及び第１排紙コンベア１０６と、第２羽根車１０７及び第２排紙コンベア１０８が左右に隣接して配置されている。
【００５１】
また、三角板２０１ｂの下方には、リードインローラ２０２ａ，２０２ｂ、ニッピングローラ２０３ａ，２０３ｂが設けられている。そして、ニッピングローラ２０３ａ，２０３ｂの下方には、１つの折畳機能を有する第２折畳機構２０４が配置され、この第２折畳機構２０４の下方には、第３羽根車２０５及び第３排紙コンベア２０６が第２羽根車１０７及び第２排紙コンベア１０８に隣接して配置されている。
【００５２】
なお、三角板１０１ｂの下方には、リードインローラ１０２ｃ，１０２ｄが設けられている。また、リードインローラ１０２ａ，１０２ｂとリードインローラ２０２ａ，２０２ｂとの間には、ウェブＷの搬送先を変更するガイドローラ１０９が配置されている。
【００５３】
ここで、まず、折ユニットＦ１における第１折畳機構１０４について詳細に説明する。この第１折畳機構１０４は、図２及び図３に示すように、ロータリフォルダタイプとジョウフォルダタイプを組み合わせた構成となっている。即ち、第１胴としての折鋸胴２１と、第２胴としての咥え胴２２とが、外周面が対向した状態で、左右に並んで回転自在に配置されている。
【００５４】
折鋸胴２１は、外周部に１８０度対向して針装置２３，２４が設けられており、この各針装置２３，２４はほぼ同様の構成をなしている。針装置２３にて、折鋸胴２１の軸方向に沿って針軸２３ａが回転自在に支持され、この針軸２３ａに針アーム２３ｂが固結されている。この針アーム２３ｂは、一端部にカムローラ２３ｃが装着される一方、他端部に針２３ｄが固定されている。そして、後述するフレーム４６には、針装置２３における針装置２３より内側に位置してカム２５が固定されており、針アーム２３ｂは、トーションバー２３ｅによりカムローラ２３ｃがカム２５に接触する方向に付勢支持されている。
【００５５】
針装置２４にて、折鋸胴２１の軸方向に沿って針軸２４ａが回転自在に支持され、この針軸２４ａに針アーム２４ｂが固結されている。この針アーム２４ｂは、一端部にカムローラ２４ｃが装着される一方、他端部に針２４ｄが固定されている。そして、フレーム４６には、折鋸胴２１における針装置２４より内側に位置してカム２６が固定されており、針アーム２４ｂは、トーションバー２４ｅによりカムローラ２４ｃがカム２６に接触する方向に付勢支持されている。
【００５６】
この場合、各カム２５，２６は、図４に示す形状となっている。即ち、カム２５，２６は、折鋸胴２１と同心状をなして形成され、一方のカム２５は、保持範囲がθ１の角度に設定され、他方のカム２６は、保持範囲がθ１よりも狭いθ２の角度に設定されている。ここで、保持範囲θ１，θ２とは、針装置２３，２４がウェブＷ（シートＳ）の先端部を保持する範囲である。即ち、針装置２３，２４は、ウェブＷの先端部の保持開始位置は同じであるが、ウェブＷの先端部の保持終了位置が異なり、針装置２４は、針装置２３よりも早いタイミングでウェブＷの先端部の保持を終了、つまり、保持を解除する。なお、各カム２５，２６は、必要に応じて周方向に位相調整可能となっている。
【００５７】
従って、図３に示すように、折鋸胴２１が回転すると、針装置２３，２４は、カム２５，２６により作動してウェブＷの保持または解除を行う。即ち、針アーム２３ｂ，２４ｂは、カムローラ２３ｃ，２４ｃがカム２５，２６の保持範囲θ１，θ２に至ると、トーションバー２３ｅ，２４ｅの付勢力により回動する。すると、針２３ｃ，２４ｃが外方に突出し、ウェブＷの走行方向における前端部を突き刺して保持することができる。そして、針アーム２３ｂ，２４ｂは、カムローラ２３ｃ，２４ｃがカム２５，２６の保持範囲θ１，θ２から離脱すると、トーションバー２３ｅ，２４ｅの付勢力に抗して逆方向に回動する。すると、針２３ｄ，２４ｄが内方に移動し、ウェブＷの前端部から外れて保持を解除することができる。
【００５８】
また、折鋸胴２１は、外周部に１８０度対向して裁断手段（第１裁断手段）としての鋸刃２７，２８が設けられており、この各鋸刃２７，２８はほぼ同様の構成をなしている。鋸刃２７は、針装置２３に隣接して設けられており、折鋸胴２１の外周部に固定された鋸台２７ａに刃本体２７ｂが外方に突出するように固定されて構成されている。また、鋸刃２８は、針装置２４に隣接して設けられており、折鋸胴２１の外周部に固定された鋸台２８ａに刃本体２８ｂが外方に突出するように固定されて構成されている。一方、咥え胴２２は、外周部に１８０度対向して裁断手段としての鋸刃受２９，３０が設けられており、この各鋸刃受２９，３０はほぼ同様の構成をなし、ゴム等の弾性体により構成されている。
【００５９】
この場合、折鋸胴２１と咥え胴２２は、同じ周速で同期回転することで、鋸刃２７と鋸刃受２９が一定周期で互いに対向するようにその回転位相が一致し、また、鋸刃２８と鋸刃受３０が一定周期で互いに対向するようにその回転位相が一致している。従って、折鋸胴２１と咥え胴２２が同期回転すると、鋸刃２７，２８と鋸刃受２９，３０が同期して移動し、所定の回転位置で鋸刃２７と鋸刃受２９が対向して一致するとき、また、鋸刃２８と鋸刃受３０が対向して一致するとき、この鋸刃２７，２８によりウェブＷ（シートＳ）を横裁断することができる。
【００６０】
更に、折鋸胴２１は、その周面に１８０度対向して折ブレード３１，３２が設けられており、各折ブレード３１，３２は、針装置２３，２４及び鋸刃２７，２８とほぼ９０度位相がずれた位置に設けられている。折ブレード３１にて、折鋸胴２１の外周部には、折軸３１ａに回転自在に支持されており、この折軸３１ａに櫛状をなすブレード本体３１ｂが一体に固定され、ブレード本体３１ｂの先端部が折鋸胴２１から外方に突出可能となっている。また、折軸３１ａには、同軸上に駆動歯車３１ｃが一体に固結されている。そして、フレーム４６には、折鋸胴２１における折ブレード３１より内側に位置して固定歯車３３が固定されており、折軸３１ａの駆動歯車３１ｃは、折鋸胴２１に回転自在に支持された中間歯車３１ｄを介して固定歯車３３に噛み合っている。
【００６１】
この場合、折鋸胴２１が回転するとき、中間歯車３１ｄが固定歯車３３に噛み合った状態でこの固定歯車３３の外周部に沿って伝導することから、中間歯車３１ｄに噛み合う駆動歯車３１ｃを介して折軸３１ａ、つまり、ブレード本体３１ｂが折鋸胴２１とは逆方向に回転する。そのため、折鋸胴２１が１回転するとき、ブレード本体３１ｂが２回転するように、駆動歯車３１ｃと中間歯車３１ｄと固定歯車３３との減速比が設定されている。そして、折ブレード３１は、ブレード本体３１ｂが折鋸胴２１における所定の回転位置、つまり、後述する一対の折込ローラ３５ａ，３５ｂの間で突出するように、その回転位相が設定されている。
【００６２】
折ブレード３２にて、折鋸胴２１の外周部には、折軸３２ａに回転自在に支持され、この折軸３２ａに折アーム３２ｂが固結されている。この折アーム３２ｂは、一端部にカムローラ３２ｃが装着される一方、他端部に櫛状をなすブレード本体３２ｄが固定されている。そして、フレーム４６には、折鋸胴２１における折ブレード３２より内側に位置してカム３４が固定されており、折アーム３２ｂは、トーションバー３２ｅによりカムローラ３２ｃがカム３４に接触する方向に付勢支持されている。
【００６３】
この場合、カム３４は、図４に示す形状となっている。即ち、カム３４は、折鋸胴２１と同心状をなして形成され、折込範囲がθ３の角度に設定されている。ここで、折込範囲θ３とは、折ブレード３２がシートＳの中間部を折鋸胴２１の外周面からはがして咥え胴２２側に移動させる範囲である。なお、各カム３４は、必要に応じて周方向に位相調整可能となっている。
【００６４】
折鋸胴２１の下方には、一対の折込ローラ３５ａ，３５ｂが折鋸胴２１と同期回転可能に設けられており、折鋸胴２１の下方で各折込ローラ３５ａ，３５ｂの両側には、紙ガイド３６，３７が設けられている。この一対の折込ローラ３５ａ，３５ｂは、折ブレード３１により折鋸胴２１の周面から突出したシートＳの中間部を挟持することで、折帖Ｔを形成することができる。このとき、紙ガイド３６，３７は、折帖Ｔをガイドする。
【００６５】
従って、折鋸胴２１が回転すると、折ブレード３１がこの折鋸胴２１と同期して逆回転し、所定の回転位置でブレード本体３１ｂが外方に突出することで、シートＳが折鋸胴２１の周面から引き剥がされ、中間部が折鋸胴２１から折込ローラ３５ａ，３５ｂ側に突出する。折込ローラ３５ａ，３５ｂは、このシートＳの突出した中間部を挟持することで、シートＳを横折し、折帖Ｔを形成することができる。
【００６６】
折込ローラ３５ａ，３５ｂの下方には、図２に示すように、第１羽根車１０５が駆動回転可能に設けられ、この第１羽根車１０５の下方には、第１排紙コンベア１０６が設けられている。第１羽根車１０５は、周方向に複数の羽根を有し、折込ローラ３５ａ，３５ｂに同期して回転することで、一対の折込ローラ３５ａ，３５ｂにより形成された折帖Ｔを順次受取って第１排紙コンベア１０６上に受け渡す。
【００６７】
一方、咥え胴２２は、図２及び図３に示すように、外周部に咥え装置３８が設けられており、この咥え装置３８は、鋸刃受２９，３０とほぼ９０度位相がずれた位置に設けられている。咥え装置３８は、折鋸胴２１の折ブレード３２により突出したシートＳの中間部を咥えることができる。即ち、折鋸胴２１と咥え胴２４は、上述したように、同じ周速で同期回転することで、折ブレード３２のブレード本体３２ｄと咥え装置３８が一定周期で互いに対向するようにその回転位相が一致している。
【００６８】
咥え胴２２に隣接して、この咥え胴２２と２つのガイドローラ３９，４０に無端の上搬送ベルト４１が掛け回されると共に、駆動ローラ４２と２つのガイドローラ４３，４４に無端の下搬送ベルト４５が掛け回され、この下搬送ベルト４５は、一部の循環経路で咥え胴２２及び上搬送ベルト４１に接触している。この場合、咥え胴２２と駆動ローラ４２が駆動源となり、各搬送ベルト４１，４５は、同期して同方向（循環方向としては逆方向）に移動可能となっている。
【００６９】
従って、折鋸胴２１と咥え胴２２が同期回転すると、折ブレード３２と咥え装置３８が同期して移動し、所定の回転位置でブレード本体３２ｄと咥え装置３８が対向して一致するとき、この折ブレード３２が突出することで、シートＳが折鋸胴２１の周面から引き剥がされ、中間部が折鋸胴２１から咥え胴２２側に突出する。咥え装置３８は、この突出したシートＳの中間部を咥え、咥え胴２２が回転することで、シートＳを横折し、折帖Ｔを形成することができる。そして、咥え装置３８に咥えられた折帖Ｔは、搬送ベルト４１，４５の間に挟まれた後に、咥え装置３８から解除されて搬送される。
【００７０】
搬送ベルト４１，４５の下方には、第２羽根車１０７が駆動回転可能に設けられ、この第２羽根車１０７の下方には、第２排紙コンベア１０８が設けられている。羽根車１０７は、周方向に複数の羽根を有し、搬送ベルト４１，４５に同期して回転することで、搬送ベルト４１，４５により搬送された折帖Ｔを順次受取って第２排紙コンベア１０８上に受け渡す。
【００７１】
なお、上述した実施例１にて、折鋸胴２１が第１胴であり、咥え胴２２が第２胴である。また、鋸刃２７，２８及び鋸刃受２９，３０が裁断手段（第１裁断手段）であり、鋸刃２７が第１鋸刃、鋸刃２８が第２鋸刃である。針装置２３が第１針装置であり、針装置２４が第２針装置である。折ブレード３１が第１折ブレードであり、折ブレード３２が第２折ブレードである。また、針装置２３と折ブレード３１と折込ローラ３５ａ，３５ｂが第１胴に設けられた第１折込手段（以下、第１折込ユニット）であり、針装置２４と折ブレード３２と咥え装置３８が第１胴及び第２胴に設けられた第２折込手段（以下、第２折込ユニット）である。
【００７２】
上述した折ユニットＦ１では、印刷が施されて重ねられたウェブＷを裁断した後、シートＳを第１折込ユニットと第２折込ユニットとの間で振り分ける振分手段を有している。本実施例では、この第１折込ユニットと第２折込ユニットが、折鋸胴（第１胴）２１の外周部に所定間隔で設けられることで構成される。即ち、図３に示すように、第１折込ユニットを構成する針装置２３と第２折込ユニットを構成する針装置２４が折鋸胴２１の周方向に等間隔で配置され、第１折込ユニットを構成する折ブレード３１と第２折込ユニットを構成する折ブレード３２が折鋸胴２１の周方向に等間隔で配置されている。従って、折鋸胴２１の回転に伴って第１折込ユニットと第２折込ユニットが交互に作動することで、裁断した後のシートＳを折込ローラ３５ａ，３５ｂ（第１折込ユニット）側と咥え胴２２（第２折込ユニット）側とに交互に振り分けることができる。
【００７３】
また、上述した折ユニットＦ１では、シートＳを第１折込ユニットと第２折込ユニットとの間で振り分ける第１振分け形態と、シートＳを第１折込ユニットのみに振り分ける第２振分け形態と、シートＳを第２折込ユニットのみに振り分ける第３振分け形態とのいずれか一つに切り替える切替手段を有している。
【００７４】
即ち、図５に示すように、折鋸胴２１にて、針装置２３の針軸２３ａにおける軸端部に針アーム２３ｂが固結され、この針アーム２３ｂの一端部にカムローラ２３ｃが装着されている。また、針装置２４の針軸２４ａにおける軸端部に針アーム２４ｂが固結され、この針アーム２４ｂの一端部にカムローラ２４ｃが装着されている。折鋸胴２１が回転自在に支持されるフレーム４６には、切替シリンダ４７が固定されており、この切替シリンダ４７の駆動ロッド４８の先端部には、カム２５、２６が連結されている。このカム２５，２６は、折鋸胴２１と同心上に配置され、切替シリンダ４７により軸心方向に移動可能である一方、周方向には回転不能となっている。そして、カムローラ２３ｃがカム２５の外周面を転動自在であると共に、カムローラ２４ｃがカム２６の外周面を転動自在である。なお、この場合切替手段は、エア式または油圧式の切替シリンダに限らず、電気モータやねじ軸などを利用してもよい。
【００７５】
このカム２５、２６は、幅がカムローラ２３ｃ，２４ｃの幅の２倍に設定されている。そのため、切替シリンダ４７によりカム２５、２６を軸心方向に移動することで、カムローラ２３ｃ，２４ｃの位置をカム２５、２６との間で切替可能となっている。即ち、カムローラ２３ｃをカム２５に接触させると共に、カムローラ２４ｃをカム２６に接触させると、上述したシートＳを第１折込ユニットと第２折込ユニットとの間で振り分ける第１振分け形態となる。また、カムローラ２３ｃ，２４ｃをカム２５に接触させると、上述したシートＳを第１折込ユニットのみに振り分ける第２振分け形態となる。更に、カムローラ２３ｃ，２４ｃをカム２６に接触させると、上述したシートＳをと第２折込ユニットのみに振り分ける第３振分け形態となる。
【００７６】
また、折鋸胴２１にて、折ブレード３１の折軸３１ａにおける軸端部に駆動歯車３１ｃが固結され、折軸３１ａにおける外周部にブレード本体３１ｂが固定されている。フレーム４６には、調整シリンダ４９が固定されており、この調整シリンダ４９の駆動ロッド５０の先端部には、固定歯車３３が連結されている。この固定歯車３３は、折鋸胴２１と同心上に配置され、調整シリンダ４９により軸心方向に移動可能である一方、周方向には回転不能となっている。そして、駆動歯車３１ｃが中間歯車３１ｄを介して固定歯車３３に噛み合っている。なお、駆動歯車３１ｃと中間歯車３１ｄと固定歯車３３は、はすば歯車であって、調整シリンダ４９により固定歯車３３を軸方向に移動することで、歯の角度に応じて中間歯車３１ｄを介して駆動歯車３１ｃを回転し、折ブレード３１の回転位相を調整することができる。
【００７７】
折鋸胴２１にて、折ブレード３２の折軸３２ａにおける軸端部に折アーム３２ｂが固結され、この折アーム３２ｂの一端部にカムローラ３２ｃが装着されている。フレーム４６には、取付ブラケット５１を介してカム３４が連結されている。このカム３４は、折鋸胴２１と同心上に配置され、カムローラ３２ｃが外周面を転動自在である。
【００７８】
この折ブレード３１，３２は、折鋸胴２１に対して着脱自在となっており、別のものと交換可能となっている。即ち、図６に図示した折ブレード３１，３２を適用すると、上述したシートＳを第１折込ユニットと第２折込ユニットとの間で振り分ける第１振分け形態となる。また、折ブレード３２を折ブレード３１の構成に交換すると、上述したシートＳを第１折込ユニットのみに振り分ける第２振分け形態となる。更に、折ブレード３１を折ブレード３２の構成に交換すると、上述したシートＳをと第２折込ユニットのみに振り分ける第３振分け形態となる。
【００７９】
このように本実施例では、カム２５，２６と切替シリンダ４７により切替手段が構成されると共に、折ブレード３１，３２を交換することにより切替手段が構成される。
【００８０】
次に、折ユニットＦ２における第２折畳機構２０４について詳細に説明する。図７に示すように、第１折畳機構１０４は、ロータリフォルダタイプの構成となっている。即ち、第３胴としての折胴６１と、第４胴としての鋸胴６２とは、外周面が対向した状態で、左右に並んで回転自在に配置されている。
【００８１】
折胴６１は、外周部に１８０度対向して針装置６３，６４が設けられており、この各針装置６３，６４はほぼ同様の構成をなしている。なお、この針装置６３，６４は、上述した針装置２３，２４とほぼ同様の構成をなしていることから、詳細な説明は省略する。針装置６３，６４と針装置２３，２４との相違点は、これを作動させるカムの形状である。本実施例の針装置６３，６４におけるカムは、カム２５と同様の形状であり、針装置６３，６４に対して１つのカムが設定されている。そして、針装置６３，６４の保持範囲は、針装置２３の保持範囲θ１に設定され、針装置６３，６４は、ウェブＷの先端部の保持開始位置と保持終了位置が同じに設定される。
【００８２】
また、鋸胴６２は、外周部に１８０度対向して裁断手段（第２裁断手段）としての鋸刃６５，６６が設けられており、この各鋸刃６５，６６は、針装置６３，６４に隣接して設けられ、両者がほぼ同様の構成をなしている。一方、折胴２１は、外周部に１８０度対向して裁断手段としての鋸刃受６７，６８が設けられており、この各鋸刃受６７，６８はほぼ同様の構成をなし、ゴム等の弾性体により構成されている。なお、この鋸刃６５，６６及び鋸刃受６７，６８は、上述した鋸刃２７，２８及び鋸刃受２９，３０とほぼ同様の構成をなしていることから、詳細な説明は省略する。鋸刃６５，６６及び鋸刃受６７，６８と鋸刃２７，２８及び鋸刃受２９，３０との相違点は、装着されている胴が、折鋸胴２１及び咥え胴２２から折胴６１及び鋸胴６２に変わっただけである。
【００８３】
更に、折胴６１は、その周面に１８０度対向して折ブレード６９，７０が設けられており、各折ブレード６９，７０は、針装置６３，６４及び鋸刃受６７，６８とほぼ９０度位相がずれた位置に設けられている。折ブレード６９，７０は、上述した折ブレード３１とほぼ同様の構成をなしていることから、詳細な説明は省略する。即ち、本実施例の折ブレード６９，７０は、一つの固定歯車により作動するものとなっている。
【００８４】
折胴６１の下方には、一対の折込ローラ７１ａ，７１ｂが折胴６１と同期回転可能に設けられており、折胴６１の下方で各折込ローラ７１ａ，７１ｂの両側には、一対の紙ガイド７２ａ，７２ｂが設けられている。この一対の折込ローラ７１ａ，７１ｂは、折ブレード６９，７０により折胴６１の周面から突出したシートＳの中間部を挟持することで、折帖Ｔを形成することができる。このとき、紙ガイド７２ａ，７２ｂは、折帖Ｔをガイドする。
【００８５】
折込ローラ７１ａ，７２ｂの下方には、図２に示すように、第３羽根車２０５が駆動回転可能に設けられ、この第３羽根車２０５の下方には、排紙コンベア２０６が設けられている。羽根車２０５は、周方向に複数の羽根を有し、折込ローラ７１ａ，７１ｂに同期して回転することで、一対の折込ローラ７１ａ，７１ｂにより形成された折帖Ｔを順次受取って排紙コンベア２０６上に受け渡す。
【００８６】
なお、上述した実施例１にて、折胴６１が第３胴であり、折胴６２が第４胴である。また、鋸刃６５，６６及び鋸刃受６７，６８が第２裁断手段である。また、針装置６３，６４と折ブレード６９，７０と折込ローラ７１ａ，７２ｂが第３折込手段（第３折込ユニット）である。
【００８７】
以下、上述した実施例１の新聞用オフセット輪転印刷機による新聞の印刷方法について説明する。ここでは、新聞用オフセット輪転印刷機により同時に３種類の新聞を印刷する場合について説明する。
【００８８】
この場合、図１に示すように、印刷ユニットＵ１，Ｕ２１，Ｕ２２，Ｕ３を用いて４枚のウェブＷに対して両面印刷を行い、ウェブパス装置Ｄで重ねて搬送方向を変更して折ユニットＦ２に送り、ここで、断裁、折畳を行って１種類の新聞Ａを印刷する。
【００８９】
一方、印刷ユニットＵ４，Ｕ５１，Ｕ５２，Ｕ６を用いて４枚のウェブＷに対して両面印刷を行い、ウェブパス装置Ｄで重ねて搬送方向を変更して折ユニットＦ１に送り、ここで、断裁、折畳を行って２種類の新聞を印刷する。即ち、印刷ユニットＵ４，Ｕ５１，Ｕ５２，Ｕ６では、版胴１４の外周面に異なる絵柄を印刷する２種類の刷版を周方向に沿って装着し、この状態で、ブランケット胴１５を介してウェブＷに印刷を行う。
【００９０】
詳細に説明すると、印刷ユニットＵ４，Ｕ５１，Ｕ５２，Ｕ６にて、各版胴１４の外周面に異なる絵柄を印刷する刷版を、軸方向に４つ、周方向２つ並べて装着し、この状態で印刷を行う。すると、図８に示すように、ウェブＷには、まず、幅方向にＡ１，Ｂ１，Ｃ１，Ｄ１の絵柄が印刷され、次に、Ａ２，Ｂ２，Ｃ２，Ｄ２の絵柄が印刷され、続いて、Ａ１，Ｂ１，Ｃ１，Ｄ１の絵柄が印刷される。つまり、ウェブＷの天地長手方向には、Ａ１，Ｂ１，Ｃ１，Ｄ１の絵柄とＡ２，Ｂ２，Ｃ２，Ｄ２の絵柄が交互に印刷される。
【００９１】
そして、印刷ユニットＵ４，Ｕ５１，Ｕ５２，Ｕ６で印刷されたウェブＷは、幅方向の中心で縦に裁断され、左右のウェブＷがウェブパス装置Ｄで他のウェブＷと共に重ねられる。続いて、縦裁断されて幅が半分となり、互いに重ねられた８枚のウェブＷが、折ユニットＦ１にて、絵柄ごとに横に裁断されてシートＳとなり、横折されて折帖Ｔとなる。この場合、ウェブＷ１１とウェブＷ１２が重ねられてＢ新聞となり、ウェブＷ２１とウェブＷ２２が重ねられてＣ新聞となることから、第１折畳機構１０４では、Ｂ新聞用の折帖ＴとＣ新聞用の折帖Ｔが交互に形成されることから、異なる折帖Ｔを別々に排紙している。
【００９２】
具体的に説明すると、図１及び図２に示すように、給紙装置Ｒの各給紙ユニットＲ１〜Ｒ８から印刷装置Ｕの各印刷ユニットＵ１，Ｕ２１，Ｕ２２，Ｕ３，Ｕ４，Ｕ５１，Ｕ５２，Ｕ６にウェブＷが供給されると、各印刷ユニットＵ１，Ｕ２１，Ｕ２２，Ｕ３，Ｕ４，Ｕ５１，Ｕ５２，Ｕ６では、各ウェブＷに対して４色刷や２色刷などが行われる。そして、各印刷ユニットＵ１，Ｕ２１，Ｕ２２，Ｕ３で印刷が施された多数のウェブＷは、ウェブパス装置Ｄにて、縦裁断が行われた後に、搬送経路が変更され、所定の順番に重ね合わせられて８枚のウェブＷ２となる。一方、各印刷ユニットＵ１，Ｕ２１，Ｕ２２，Ｕ３で印刷が施された多数のウェブＷは、同様に、ウェブパス装置Ｄにて、縦裁断が行われた後に、搬送経路が変更され、所定の順番に重ね合わせられて８枚のウェブＷ１となる。
【００９３】
そして、折機Ｆにおける一方の折ユニットＦ２にて、図２及び図７に示すように、ウェブＷ２は、三角板２０１ｂにより縦折りされた後、リードインローラ２０２ａ，２０２ｂ、ニッピングローラ２０３ａ，２０３ｂにより第２折畳機構２０４に送られる。
【００９４】
第２折畳機構２０４にて、ウェブＷ２は、鋸胴６２の鋸刃６５（または６６）により横裁断されると共に、折胴６１の針装置６３（または６４）により先端部が保持される。折胴６１と鋸胴６２がほぼ半周回転すると、折胴６１の周面から折ブレード６９（または７０）が突出し、切断されたシートＳの長手方向の中間部を押し下げることで、このシートＳを一対の折込ローラ７１ａ，７１ｂに引き渡し、この折込ローラ７１ａ，７１ｂは、シートＳを挟持することで折帖Ｔを形成する。そして、形成された折帖Ｔは、第３羽根車２０５の各羽根により順次受取られ、第３排紙コンベア２０６上に受け渡され、２４頁の新聞Ａを印刷することができる。
【００９５】
一方、折機Ｆにおける他方の折ユニットＦ１にて、図２に示すように、ウェブＷ１は、三角板１０１ｂにより縦折りされた後、ガイドローラ１０９、ニッピングローラ１０３ａ，１０３ｂにより第１折畳機構１０４に送られる。
【００９６】
第１折畳機構１０４にて、図９に示すように、ウェブＷ１は、折鋸胴２１と咥え胴２２の対接部に供給されると、まず、鋸刃２７により横裁断されると共に、針装置２３により先端部が保持される。そして、折鋸胴２１と咥え胴２２がほぼ半周回転すると、図１０に示すように、ウェブＷ１が鋸刃２８により横裁断されると共に、針装置２３によるウェブＷ１（シートＳ）の保持が解除される。続いて、図３に示すように、折鋸胴２１の周面から折ブレード３１が突出し、切断されたシートＳの長手方向の中間部を押し下げる。すると、このシートＳは、回転する一対の折込ローラ３５ａ，３５ｂに挟持されることで折帖Ｔが形成される。そして、図２に示すように、形成された折帖Ｔは、第１羽根車１０５の各羽根により順次受取られ、第１排紙コンベア１０６上に受け渡され、２４頁の新聞Ｂを印刷することができる。
【００９７】
次に、ウェブＷ１が鋸刃２８により横裁断され、針装置２３によるウェブＷ１の保持が解除されたとき、針装置２４は、ウェブＷ１の先端部を保持する。そして、折鋸胴２１と咥え胴２２がほぼ４分の１周回転すると、図１１に示すように、針装置２４によるウェブＷ１の保持が解除され、折鋸胴２１の周面から折ブレード３２が突出し、ウェブＷ１の所定の位置を咥え胴２２側に押し出す。すると、ウェブＷ１は、所定の位置が咥え装置３８に咥えられ、咥え胴２２の回転に伴って織り込まれる。続いて、折鋸胴２１と咥え胴２２が回転すると、ウェブＷ１が鋸刃２７により横裁断され、一対の搬送ベルト４１，４５に挟持されることで折帖Ｔが形成される。そして、図２に示すように、形成された折帖Ｔは、第２羽根車１０７の各羽根により順次受取られ、第２排紙コンベア１０８上に受け渡され、２４頁の新聞Ｃを印刷することができる。
【００９８】
なお、上述の説明では、新聞用オフセット輪転印刷機により同時に３種類の新聞Ａ，Ｂ，Ｃを印刷する場合について説明したが、１種類または２種類の新聞を印刷することもできる。新聞用オフセット輪転印刷機により１種類の新聞を印刷する場合には、印刷ユニットＵ１〜Ｕ６のいずれかまたは全てを用い、また、折ユニットＦ１，Ｆ２のいずれかまたは両方を用いればよい。また、新聞用オフセット輪転印刷機により同時に２種類の新聞を印刷する場合には、例えば、印刷ユニットＵ１，Ｕ２１，Ｕ２２，Ｕ３と折ユニットＦ２を用いて新聞Ａを印刷し、印刷ユニットＵ４，Ｕ５１，Ｕ５２，Ｕ６と折ユニットＦ１を用いて新聞Ｂまたは新聞Ｃを印刷する。このとき、切替手段により、シートＳを第１折込ユニットのみに振り分ける第２振分け形態、または、シートＳをと第２折込ユニットのみに振り分ける第３振分け形態のどちらかに切り替えることで対応することができる。この場合、印刷する新聞の折り品質を良好としたいときには、第２折込ユニットを用いる方が望ましい。
【００９９】
この場合、新聞用オフセット輪転印刷機では、３種類の新聞を同時に印刷するだけでなく、異なる部数の２種類の新聞を同時に印刷することもできる。即ち、新聞Ａを２００００部印刷し、新聞Ｂを３００００部印刷する場合、折ユニットＦ１により新聞Ａ，Ｂをそれぞれ２００００部印刷し、折ユニットＦ２により新聞Ｂを１００００部印刷すればよい。
【０１００】
このように実施例１の折機にあっては、折ユニットＦ１として、折鋸胴２１と咥え胴２２を設け、折鋸胴２１に鋸刃２７，２８を設けると共に、折鋸胴２１に裁断されたシートＳを折り畳む第１折込ユニットを設ける一方、咥え胴２２に裁断されたシートＳを折り畳む第２折込ユニットを設け、また、裁断されたシートＳをこの第１折込ユニットと第２折込ユニットとの間で振り分ける振分手段を設けている。
【０１０１】
従って、鋸刃２７，２８によりウェブＷが所定長さに裁断されて形成されたシートＳは、振分手段により第１折込ユニットまたは第２折込ユニットに振り分けられ、この第１折込ユニットと第２折込ユニットにより折り畳まれて折帖Ｔが形成されて排紙されることとなり、異なる種類の印刷物、つまり、新聞Ｂ，Ｃを第１折込ユニット側と第２折込ユニット側とで同時に印刷することができ、作業効率の向上を図ることができると共に、装置の大型化を抑制することができる。
【０１０２】
また、実施例１の折機では、折鋸胴２１に、針装置２３，２４と、鋸刃２７，２８と、折込ブレード３１，３２とをそれぞれ均等間隔で設けると共に、折鋸胴２１の下方に隣接して一対の折込ローラ３５ａ，３５ｂを設ける一方、咥え胴２２に、咥え装置３８を設けている。従って、折鋸胴２１を、所謂、ロータリフォルダタイプとし、咥え胴２２側を、所謂、ジョウフォルダタイプとすることで、各構成部材の配置を簡素化することができ、装置の大型化を抑制することができる。
【０１０３】
また、実施例１の折機では、振分手段を、針装置２３と折込ブレード３１からなる第１折込ユニットと、針装置２４と折込ブレード３２からなる第２折込ユニットを折鋸胴２１に所定間隔で設けることで構成している。従って、折鋸胴２１の回転に伴って第１折込ユニットと第２折込ユニットが交互に作動することで、シートＳを第１折込ユニットと第２折込ユニットとに振り分けることができ、装置の簡素化、高精度化に寄与することができる。
【０１０４】
また、実施例１の折機では、シートＳを第１折込ユニットと第２折込ユニットとの間で振り分ける第１振分け形態と、シートＳを第１折込ユニットのみに振り分ける第２振分け形態と、シートＳを第２折込ユニットのみに振り分ける第３振分け形態とのいずれか一つに切り替える切替手段を設けている。従って、印刷する新聞の種類や部数に応じて使用する折込ユニットを選択することができ、汎用性を向上することができる。
【０１０５】
また、実施例１の折機または印刷機にあっては、第１折ユニットＦ１及び第２折ユニットＦ２を設け、第１折ユニットＦ１として、第１折込機構１０４と振分手段を設け、第２折ユニットＦ２として、第２折込機構２０４を設けている。従って、第１折ユニットＦ１では、２種類の新聞Ｂ，Ｃを印刷することができ、第２折ユニットＦ１では、１種類の新聞Ａを印刷することができ、異なる３種類の新聞Ａ，Ｂ，Ｃを同時に印刷することができ、作業効率の向上を図ることができると共に、装置の大型化を抑制することができる。
【０１０６】
なお、上述の実施例１では、針装置２３，２４をカム２５，２６により作動するように構成したが、その駆動機構は、この構成に限定されるものではない。例えば、歯車式や油圧シリンダなどを使用したものであってもよい。また、折ブレード３１を固定歯車３３により作動し、折ブレード３２をカム３４により作動するように構成したが、その駆動機構は、この構成に限定されるものではない。例えば、両方とも歯車式としたり、カム式としてもよい。更に、切替手段として、針装置２３，２４に対して切替シリンダ４７を用い、折ブレード３１，３２に対して交換方式としたが、針装置２３，２４に対して交換方式としたり、折ブレード３１，３２に対して切替シリンダを用いてもよい。
【実施例２】
【０１０７】
図１２は、本発明の実施例２に係る折機を表す概略構成図である。
【０１０８】
実施例２の印刷機は、実施例１と同様に、新聞用オフセット輪転印刷機であって、図示しないが、複数の給紙ユニットを有する給紙装置と、複数の印刷ユニットを有する印刷装置と、ウェブパス装置と、複数の折ユニットを有する折機とから構成されている。本実施例の印刷機に使用される折機の折ユニット（折畳機構）は、実施例１で説明した折機Ｆにて、折ユニットＦ１の第１折畳機構１０４に対応するものである。
【０１０９】
実施例２の折機の折ユニットにおいて、図１２に示すように、折畳機構３０１は、実施例１と同様に、ロータリフォルダタイプとジョウフォルダタイプを組み合わせた構成となっている。そして、第１胴としての鋸胴３０２及び折胴３０３と、第２胴としての咥え胴３０４とが、外周面が対向した状態で、左右に並んで回転自在に配置されている。
【０１１０】
鋸胴３０２は、外周部に１８０度対向して裁断手段（第１裁断手段）としての鋸刃３０５，３０６が設けられており、この各鋸刃３０５，３０６はほぼ同様の構成をなしている。一方、折胴３０３は、外周部に１８０度対向して裁断手段としての鋸刃受３０７，３０８が設けられており、この各鋸刃受３０７，３０８はほぼ同様の構成をなし、ゴム等の弾性体により構成されている。なお、この鋸刃３０５，３０６及び鋸刃受３０７，３０８は、上述した実施例１の鋸刃２７，２８及び鋸刃受２９，３０とほぼ同様の構成をなしていることから、詳細な説明は省略する。
【０１１１】
従って、鋸胴３０２と折胴３０３が同期回転すると、鋸刃３０５，３０６と鋸刃受３０７，３０８が同期して移動し、所定の回転位置で鋸刃３０５と鋸刃受３０７が対向して一致するとき、また、鋸刃３０６と鋸刃受３０８が対向して一致するとき、この鋸刃３０５，３０６によりウェブＷ（シートＳ）を横裁断することができる。
【０１１２】
折胴３０３は、外周部に１８０度対向して針装置３０９，３１０が設けられており、この各針装置３０９，３１０はほぼ同様の構成をなし、鋸刃受３０７，３０８に隣接して設けられている。なお、この針装置３０９，３１０は、上述した実施例１の針装置２３，２４とほぼ同様の構成をなしていることから、詳細な説明は省略する。
【０１１３】
従って、折胴３０３が回転すると、針装置３０９，３１０は、所定の保持範囲に至ると、外方に突出するように回動し、鋸刃３０５により裁断された後のウェブＷの前端部を保持することができる。そして、針装置３０９，３１０は、所定の保持範囲から外れると、内方に回動し、ウェブＷの前端部の保持を解除することができる。
【０１１４】
更に、折胴３０３は、その周面に１８０度対向して折ブレード３１１，３１２が設けられており、各折ブレード３１１，３１２は、針装置３０９，３１０及び鋸刃受３０７，３０８とほぼ９０度位相がずれた位置に設けられている。折ブレード３１１，３１２は、上述した実施例１の折ブレード３１，３２とほぼ同様の構成をなしていることから、詳細な説明は省略する。
【０１１５】
一方、咥え胴３０４は、その周面に咥え装置３１３が設けられており、この咥え装置３１３は、折胴３０３の折ブレード３１２により突出したシートの中間部を咥えることができる。即ち、折胴３０３と咥え胴３０４は、同じ周速で同期回転することで、折ブレード３１２と咥え装置３１３が一定周期で互いに対向するようにその回転位相が一致している。
【０１１６】
折胴３０３の下方には、一対の折込ローラ３１４ａ，３１４ｂが折胴３０３と同期回転可能に設けられている。この一対の折込ローラ３１４ａ，３１４ｂは、折ブレード３１１により折胴３０３の周面から突出したシートの中間部を挟持することで、折帖を形成することができる。
【０１１７】
また、咥え胴３０４に隣接して、駆動ローラ３１５と２つのガイドローラ３１６，３１７とテンションローラ３１８に無端の搬送ベルト３１９が掛け回され、この搬送ベルト３１９は、一部の循環経路で咥え胴３０４に接触している。この場合、駆動ローラ３１５が駆動源となり、搬送ベルト３１９は、咥え胴３０４と同期して循環可能となっている。この搬送ベルト３１９は、咥え胴３０４との間でシートを挟持することで、折帖を形成することができる。
【０１１８】
折込ローラ３１４ａ，３１４ｂの下方には、第１羽根車３２０が駆動回転可能に設けられ、この第１羽根車３２０の下方には、第１排紙コンベア３２１が設けられている。また、搬送ベルト３１９の下方には、第２羽根車３２２が駆動回転可能に設けられ、この第２羽根車３２２の下方には、第２排紙コンベア３２３が設けられている。
【０１１９】
上述した折ユニットでは、印刷が施されて重ねられたウェブＷを裁断した後、シートを第１折込手段（以下、第１折込ユニット）と第２折込手段（以下、第２折込ユニット）との間で振り分ける振分手段を有している。本実施例では、この第１折込ユニットと第２折込ユニットが、折胴（第１胴）３０３の外周部に所定間隔で設けられることで構成される。即ち、第１折込ユニットを構成する針装置３０９と第２折込ユニットを構成する針装置３１０が折胴３０３の周方向に等間隔で配置され、第１折込ユニットを構成する折ブレード３１１と第２折込ユニットを構成する折ブレード３１２が折胴３０３の周方向に等間隔で配置されている。従って、折胴３０３の回転に伴って第１折込ユニットと第２折込ユニットが交互に作動することで、裁断した後のシートを折込ローラ３１４ａ，３１４ｂ（第１折込ユニット）側と咥え胴３０４（第２折込ユニット）側とに交互に振り分けることができる。
【０１２０】
また、上述した折ユニットでは、シートを第１折込ユニットと第２折込ユニットとの間で振り分ける第１振分け形態と、シートを第１折込ユニットのみに振り分ける第２振分け形態と、シートを第２折込ユニットのみに振り分ける第３振分け形態とのいずれか一つに切り替える切替手段を有している。なお、この切替手段は、上述した実施例１と同様であることから、説明は省略する。
【０１２１】
ここで、実施例２の新聞用オフセット輪転印刷機による新聞の印刷方法について説明する。ここでは、第１折ユニットの折畳機構３０１により同時に２種類の新聞を印刷する場合について説明する。なお、給紙装置、印刷装置、ウェブパス装置、第２折ユニットの作動については、実施例１と同様である。
【０１２２】
縦裁断されて重ねられ、縦折りされたウェブＷが、折畳機構３０１にて、鋸胴３０２と折胴３０３の対接部に供給されると、まず、鋸刃３０５により横裁断されると共に、針装置３０９により先端部が保持される。そして、鋸胴３０２と折胴３０３がほぼ半周回転すると、ウェブＷが鋸刃３０６により横裁断されると共に、針装置３０９によるウェブＷ（シート）の保持が解除される。続いて、折胴３０３の周面から折ブレード３１１が突出し、切断されたシートの長手方向の中間部を押し下げる。すると、このシートは、回転する一対の折込ローラ３１４ａ，３１４ｂに挟持されることで折帖が形成される。そして、形成された折帖は、第１羽根車３２０により順次受取られ、第１排紙コンベア３２１上に受け渡され、新聞Ｂが印刷される。
【０１２３】
次に、ウェブＷが鋸刃３０６により横裁断され、針装置３０９によるウェブＷの保持が解除されたとき、針装置３１０は、ウェブＷの先端部を保持する。そして、折胴３０３と咥え胴３０４がほぼ半周回転すると、ウェブＷが鋸刃３０５により横裁断され、折胴３０３と咥え胴３０４が更に４分の１周回転すると、針装置３１０によるシートの保持が解除され、折胴３０３の周面から折ブレード３１２が突出し、シートの所定の位置を咥え胴３０４側に押し出す。すると、シートは、所定の位置が咥え装置３１３に咥えられ、咥え胴３０４の回転に伴って織り込まれる。続いて、咥え胴３０４と搬送ベルト３１９に挟持されることで折帖が形成され、第２羽根車３２２により順次受取られ、第２排紙コンベア３２３上に受け渡され、新聞Ｃが印刷される。
【０１２４】
このように実施例２の折機にあっては、折ユニットとして、鋸胴３０２と折胴３０３と咥え胴３０４を設け、鋸胴３０２に鋸刃３０５，３０６を設け、折胴３０３に裁断されたシートを折り畳む第１折込ユニットを設ける一方、咥え胴３０４に裁断されたシートを折り畳む第２折込ユニットを設け、また、裁断されたシートをこの第１折込ユニットと第２折込ユニットとの間で振り分ける振分手段を設けている。
【０１２５】
従って、鋸刃３０５，３０６によりウェブＷが所定長さに裁断されて形成されたシートは、振分手段により第１折込ユニットまたは第２折込ユニットに振り分けられ、この第１折込ユニットと第２折込ユニットにより折り畳まれて折帖が形成されて排紙されることとなり、異なる種類の印刷物、つまり、新聞を第１折込ユニット側と第２折込ユニット側とで同時に印刷することができ、作業効率の向上を図ることができると共に、装置の大型化を抑制することができる。
【０１２６】
また、実施例２の折機では、第１胴として、鋸刃３０５，３０６を有する鋸胴３０２と、針装置３０９，３１０と折込ブレード３１１，３１２を有する折胴３０３を設けている。従って、第１胴を鋸胴３０２と折胴３０３により構成することで、鋸胴３０２及び折胴３０３に、鋸刃３０５，３０６、針装置３０９，３１０、折込ブレード３１１，３１２などの構成部材を容易に配置することができ、装置の簡素化に寄与することができる。
【実施例３】
【０１２７】
図１３は、本発明の実施例３に係る折機を表す概略構成図である。
【０１２８】
実施例３の印刷機は、実施例１と同様に、新聞用オフセット輪転印刷機であって、図示しないが、複数の給紙ユニットを有する給紙装置と、複数の印刷ユニットを有する印刷装置と、ウェブパス装置と、複数の折ユニットを有する折機とから構成されている。本実施例の印刷機に使用される折機の折ユニット（折畳機構）は、実施例１で説明した折機Ｆにて、折ユニットＦ１の第１折畳機構１０４に対応するものである。
【０１２９】
実施例３の折機の折ユニットにおいて、図１３に示すように、折畳機構４０１は、２つのロータリフォルダタイプを組み合わせた構成となっている。即ち、第１胴としての第１折鋸胴４０２と、第２胴としての第２折鋸胴４０３とが、外周面が対向した状態で、左右に並んで回転自在に配置されている。
【０１３０】
第１折鋸胴４０２は、外周部に、鋸刃４０４と、折ブレード４０５と、針装置４０６及び鋸刃受４０７が周方向に９０度間隔で設けられており、針装置４０６と鋸刃受４０７がほぼ同位置に設けられている。一方、第２折鋸胴４０３は、外周部に、鋸刃４０８と、折ブレード４０９と、針装置４１０及び鋸刃受４１１が周方向に９０度間隔で設けられており、針装置４１０と鋸刃受４１１がほぼ同位置に設けられている。
【０１３１】
この場合、第１折鋸胴４０２と第２折鋸胴４０３が同期回転するとき、鋸刃４０４と鋸刃受４１１（針装置４１０）とが対向する位置にくるように、回転位相が設定されている。また、第１折鋸胴４０２及び第２折鋸胴４０３にて、鋸刃４０４，４０８同士、折ブレード４０５，４０９同士、針装置４０６，４１０同士、鋸刃受４０７，４１１同士がそれぞれ１８０度ずれる位置に設けられている。
【０１３２】
なお、鋸刃４０４，４０８、折ブレード４０５，４０９、針装置４０６，４１０、鋸刃受４０７，４１１は、上述した実施例１の第２折畳機構に適用したものと同様の構成をなしていることから、詳細な説明は省略する。
【０１３３】
第１折鋸胴４０２の下方には、一対の折込ローラ４１２ａ，４１２ｂが第１折鋸胴４０２と同期回転可能に設けられている。この一対の折込ローラ４１２ａ，４１２ｂは、折ブレード４０５により下方に突出したシートの中間部を挟持することで、折帖を形成することができる。そして、折込ローラ４１２ａ，４１２ｂの下方には、第１羽根車４１３が駆動回転可能に設けられ、この第１羽根車４１３の下方には、第１排紙コンベア４１４が設けられている。
【０１３４】
第２折鋸胴４０３の下方には、一対の折込ローラ４１５ａ，４１５ｂが第２折鋸胴４０３と同期回転可能に設けられている。この一対の折込ローラ４１５ａ，４１５ｂは、折ブレード４０９により下方に突出したシートの中間部を挟持することで、折帖を形成することができる。そして、折込ローラ４１５ａ，４１５ｂの下方には、第２羽根車４１６が駆動回転可能に設けられ、この第２羽根車４１６の下方には、第２排紙コンベア４１７が設けられている。
【０１３５】
上述した折ユニットでは、印刷が施されて重ねられたウェブＷを裁断した後、シートを第１折込手段（以下、第１折込ユニット）と第２折込手段（以下、第２折込ユニット）との間で振り分ける振分手段を有している。本実施例では、この第１折込ユニットと第２折込ユニットが、各折鋸胴４０２，４０３の外周部に所定間隔で設けられることで構成される。即ち、第１折込ユニットを構成する針装置４０６が第１折鋸胴４０２に、第２折込ユニットを構成する針装置４１０が第２折鋸胴４０３に位相をずらして配置され、第１折込ユニットを構成する折ブレード４０５が第１折鋸胴４０２に、第２折込ユニットを構成する折ブレード４０９が第２折鋸胴４０３に位相をずらして配置されている。従って、第１折鋸胴４０２と第２折鋸胴４０３の回転に伴って第１折込ユニットと第２折込ユニットが交互に作動することで、裁断した後のシートを折込ローラ４１２ａ，４１２ｂ（第１折込ユニット）側と折込ローラ４１５ａ，４１５ｂ（第２折込ユニット）側とに交互に振り分けることができる。
【０１３６】
また、上述した折ユニットでは、シートを第１折込ユニットと第２折込ユニットとの間で振り分ける第１振分け形態と、シートを第１折込ユニットのみに振り分ける第２振分け形態と、シートを第２折込ユニットのみに振り分ける第３振分け形態とのいずれか一つに切り替える切替手段を有している。なお、この切替手段は、上述した実施例１と同様であることから、説明は省略する。
【０１３７】
このように実施例３の折機にあっては、折ユニットとして、２つの折鋸胴４０２，４０３を設け、第１折鋸胴４０２に鋸刃４０４と折ブレード４０５と針装置４０６を設け、第２折鋸胴４０３に鋸刃４０８と折ブレード４０９と針装置４１０を設け、また、裁断されたシートをこの第１折込ユニットと第２折込ユニットとの間で振り分ける振分手段を設けている。
【０１３８】
従って、鋸刃４０４，４０８によりウェブＷが所定長さに裁断されて形成されたシートは、振分手段により第１折込ユニットまたは第２折込ユニットに振り分けられ、この第１折込ユニットと第２折込ユニットにより折り畳まれて折帖が形成されて排紙されることとなる。そのため、異なる種類の印刷物、つまり、新聞を第１折込ユニット側と第２折込ユニット側とで同時に印刷することができ、作業効率の向上を図ることができると共に、装置の大型化を抑制することができる。
【０１３９】
また、実施例３の折機では、第１折鋸胴４０２の下方に折込ローラ４１２ａ，４１２ｂを設け、第２折鋸胴４０３の下方に折込ローラ４１５ａ，４１５ｂを設けており、各折鋸胴４０２，４０３をそれぞれ、所謂、ロータリフォルダタイプとすることで、各構成部材を共用化することができ、装置の低コスト化を可能とすることができる。
【０１４０】
また、実施例３の折機では、第１折鋸胴４０２及び第２折鋸胴４０３に対して、鋸刃４０４，４０８、折ブレード４０５，４０９、針装置４０６，４１０、鋸刃受４０７，４１１を所定角度異なる位相で設けている。従って、第１折鋸胴４０２及び第２折鋸胴４０３の回転に伴って第１折込ユニットと第２折込ユニットが交互に作動することで、シートを第１折込手段と第２折込手段とに振り分けることができ、装置の簡素化、高精度化に寄与することができる。
【実施例４】
【０１４１】
図１４は、本発明の実施例４に係る折機を表す概略構成図である。
【０１４２】
実施例４の印刷機は、実施例１と同様に、新聞用オフセット輪転印刷機であって、図示しないが、複数の給紙ユニットを有する給紙装置と、複数の印刷ユニットを有する印刷装置と、ウェブパス装置と、複数の折ユニットを有する折機とから構成されている。本実施例の印刷機に使用される折機の折ユニット（折畳機構）は、実施例１で説明した折機Ｆにて、折ユニットＦ１の第１折畳機構１０４に対応するものである。
【０１４３】
実施例４の折機の折ユニットにおいて、図１４に示すように、折畳機構５０１は、２つのジョウフォルダタイプを組み合わせた構成となっている。即ち、第１胴としての第１折鋸咥え胴５０２と、第２胴としての第２折鋸咥え胴５０３とが、外周面が対向した状態で、左右に並んで回転自在に配置されている。
【０１４４】
第１折鋸咥え胴５０２は、外周部に、鋸刃５０４と、折ブレード５０５と、針装置５０６及び鋸刃受５０７と、咥え装置５０８が周方向に９０度間隔で設けられており、針装置５０６と鋸刃受５０７がほぼ同位置に設けられている。一方、第２折鋸咥え胴５０３は、外周部に、鋸刃５０９と、折ブレード５１０と、針装置５１１及び鋸刃受５１２と、咥え装置５１３が周方向に９０度間隔で設けられており、針装置５１１と鋸刃受５１２がほぼ同位置に設けられている。
【０１４５】
この場合、第１折鋸咥え胴５０２と第２折鋸咥え胴５０３が同期回転するとき、鋸刃５０４と鋸刃受５１２とが対向すると共に、鋸刃５０９と鋸刃受５０７とが対向する位置にくるように、また、折ブレード５０５と咥え装置５１３とが対向すると共に、折ブレード５１０と咥え装置５０８とが対向する位置にくるように、回転位相が設定されている。また、第１折鋸咥え胴５０２及び第２折鋸咥え胴５０３にて、鋸刃５０４，５０９同士、折ブレード５０５，５１０同士、針装置５０６，５１１同士、鋸刃受５０７，５１２同士、咥え装置５０８，５１３同士がそれぞれ１８０度ずれる位置に設けられている。
【０１４６】
なお、鋸刃５０４，５０９、折ブレード５０５，５１０、針装置５０６，５１１、鋸刃受５０７，５１２、咥え装置５０８，５１３は、上述した実施例１の第１折畳機構に適用したものと同様の構成をなしていることから、詳細な説明は省略する。
【０１４７】
第１折鋸咥え胴５０２の下方に隣接して、無端の上搬送ベルト５１４と無端の下搬送ベルト５１５が設けられており、各搬送ベルト５１４，５１５は、第１折鋸咥え胴５０２と同期して循環可能となっている。搬送ベルト５１４，５１５の下方には、第１羽根車５１６が駆動回転可能に設けられ、この第１羽根車５１６の下方には、第１排紙コンベア５１７が設けられている。
【０１４８】
また、第２折鋸咥え胴５０３の下方に隣接して、無端の上搬送ベルト５１８と無端の下搬送ベルト５１９が設けられており、各搬送ベルト５１８，５１９は、第２折鋸咥え胴５０３と同期して循環可能となっている。搬送ベルト５１８，５１９の下方には、第２羽根車５２０が駆動回転可能に設けられ、この第２羽根車５２０の下方には、第２排紙コンベア５２１が設けられている。
【０１４９】
上述した折ユニットでは、印刷が施されて重ねられたウェブＷを裁断した後、シートを第１折込手段（以下、第１折込ユニット）と第２折込手段（以下、第２折込ユニット）との間で振り分ける振分手段を有している。本実施例では、この第１折込ユニットと第２折込ユニットが、各折鋸咥え胴５０２，５０３の外周部に所定間隔で設けられることで構成される。即ち、第１折込ユニットを構成する針装置５０６が第１折鋸咥え胴５０２に、第２折込ユニットを構成する針装置５１１が第２折鋸咥え胴５０３に位相をずらして配置され、第１折込ユニットを構成する折ブレード５１０が第２折鋸咥え胴５０３に、第２折込ユニットを構成する折ブレード５０５が第１折鋸咥え胴５０２に位相をずらして配置され、第１折込ユニットを構成する咥え装置５０８が第１折鋸咥え胴５０２に、第２折込ユニットを構成する咥え装置５１３が第２折鋸咥え胴５０３に位相をずらして配置されている。従って、第１折鋸咥え胴５０２と第２折鋸咥え胴５０３の回転に伴って第１折込ユニットと第２折込ユニットが交互に作動することで、裁断した後のシートを第１折込ユニット側と第２折込ユニット側とに交互に振り分けることができる。
【０１５０】
また、上述した折ユニットでは、シートを第１折込ユニットと第２折込ユニットとの間で振り分ける第１振分け形態と、シートを第１折込ユニットのみに振り分ける第２振分け形態と、シートを第２折込ユニットのみに振り分ける第３振分け形態とのいずれか一つに切り替える切替手段を有している。なお、この切替手段は、上述した実施例１と同様であることから、説明は省略する。
【０１５１】
このように実施例４の折機にあっては、折ユニットとして、２つの折鋸咥え胴５０２，５０３を設け、第１折鋸咥え胴５０２に鋸刃５０４と折ブレード５０５と針装置５０６と咥え装置５０８を設け、第２折鋸咥え胴５０３に鋸刃５０９と折ブレード５１０と針装置５１１と咥え装置５１３を設け、また、裁断されたシートをこの第１折込ユニットと第２折込ユニットとの間で振り分ける振分手段を設けている。
【０１５２】
従って、鋸刃５０４，５０９によりウェブＷが所定長さに裁断されて形成されたシートは、振分手段により第１折込ユニットまたは第２折込ユニットに振り分けられ、この第１折込ユニットと第２折込ユニットにより折り畳まれて折帖が形成されて排紙されることとなり、異なる種類の印刷物、つまり、新聞を第１折込ユニット側と第２折込ユニット側とで同時に印刷することができ、作業効率の向上を図ることができると共に、装置の大型化を抑制することができる。
【０１５３】
また、実施例４の折機では、第１折鋸咥え胴５０２の下方に搬送ベルト５１４，５１５を設け、第２折鋸咥え胴５０３の下方に搬送ベルト５１８，５１９を設けており、各折鋸咥え胴５０２，５０３をそれぞれ、所謂、ジョウフォルダタイプとすることで、各構成部材を共用化することができ、装置の低コスト化を可能とすることができる。
【０１５４】
また、実施例４の折機では、第１折鋸咥え胴５０２に、第１鋸刃５０４、第２折ブレード５０５、第１針装置５０６、第２鋸刃受５０７、第１咥え装置５０８を設け、第２折鋸咥え胴５０３に、第２鋸刃５０９、第１折ブレード５１０、第２針装置５１１、第１鋸刃受５１２、第２咥え装置５１３を設け、それぞれ所定角度異なる位相で設けている。従って、第１折鋸咥え胴５０２及び第２折鋸咥え胴５０３の回転に伴って第１折込ユニットと第２折込ユニットが交互に作動することで、シートを第１折込手段と第２折込手段とに振り分けることができ、装置の簡素化、高精度化に寄与することができる。
【０１５５】
なお、上述した実施例２、３、４の説明では、折ユニットにより同時に２種類の新聞を印刷する場合について説明したが、実施例１と同様に、切替手段により、振分け形態を切り替えることで対応することができる。
【０１５６】
また、上述した各実施例では、第２折ユニットＦ２をロータリフォルダタイプとしたが、ジョウフォルダタイプとしてもよい。また、第２折ユニットＦ２を、第１折ユニットＦ１のように、２つのタイプ（例えば、ロータリフォルダタイプとジョウフォルダタイプ）を組合せ、振分手段や切替手段などを設けて構成してもよく、この場合、同時に４種類の新聞を印刷することができる。
【実施例５】
【０１５７】
図１５は、本発明の実施例５に係る折機を表す概略構成図である。
【０１５８】
実施例５の印刷機は、実施例１と同様に、新聞用オフセット輪転印刷機であって、図示しないが、複数の給紙ユニットを有する給紙装置と、複数の印刷ユニットを有する印刷装置と、ウェブパス装置と、複数の折ユニットを有する折機とから構成されている。本実施例の印刷機に使用される折機の折ユニット（折畳機構）は、実施例１で説明した折機Ｆにて、折ユニットＦ１の第１折畳機構１０４に対応するものである。
【０１５９】
実施例５の折機の折ユニットにおいて、図１５に示すように、折畳機構６０１は、ロータリフォルダタイプとジョウフォルダを組み合わせた構成となっている。即ち、第１胴としての折鋸胴６０２と、第２胴としての咥え胴６０３とが、外周面が対向した状態で、左右に並んで回転自在に配置されている。
【０１６０】
折鋸胴６０２は、外周部に、鋸刃６０４，６０５，６０６が周方向に均等間隔（６０度間隔）で設けられている。また、折鋸胴６０２は、外周部に、折ブレード６０７，６０８，６０９が周方向に均等間隔（６０度間隔）で設けられている。また、折鋸胴６０２は、外周部に、針装置６１１，６１２，６１３が周方向に均等間隔（６０度間隔）で設けられている。この場合、鋸刃６０４，６０５，６０６と針装置６１１，６１２，６１３がほぼ同位置に設けられている。
【０１６１】
一方、咥え胴６０３は、外周部に、鋸刃受６１３，６１４，６１５が周方向に均等間隔（６０度間隔）で設けられている。咥え胴６０３は、外周部に、咥え装置６１６が設けられている。
【０１６２】
この場合、折鋸胴６０２と咥え胴６０３が同期回転するとき、鋸刃６０４，６０５，６０６と鋸刃受６１３，６１４，６１５とが対向する位置にくるように、また、折ブリード６０９と咥え装置５１３が対向する位置にくるように、その回転位相が設定されている。
【０１６３】
なお、鋸刃６０４，６０５，６０６、折ブレード６０７，６０８，６０９、針装置６１０，６１１，６１２、鋸刃受６１３，６１４，６１５、咥え装置６１６は、上述した実施例１の第２折畳機構に適用したものと同様の構成をなしていることから、詳細な説明は省略する。
【０１６４】
折鋸胴６０２の下方には、一対の折込ローラ６１７ａ，６１７ｂが折鋸胴６０２と同期回転可能に設けられている。この一対の折込ローラ６１７ａ，６１７ｂは、折ブレード６０７，６０８により下方に突出したシートの中間部を挟持することで、折帖を形成することができる。そして、折込ローラ６１７ａ，６１７ｂの下方には、第１羽根車６１８が駆動回転可能に設けられ、この第１羽根車６１８の下方には、第１排紙コンベア６１９が設けられている。
【０１６５】
咥え胴６０３の下方に隣接して、無端の上搬送ベルト６２０と無端の下搬送ベルト６２１が設けられており、各搬送ベルト６２０，６２１は、咥え胴６０３と同期して循環可能となっている。搬送ベルト６２０，６２１の下方には、第２羽根車６２３が駆動回転可能に設けられ、この第２羽根車６２３の下方には、第２排紙コンベア６２４が設けられている。
【０１６６】
実施例５の印刷機における折畳機構６０１に対応する印刷ユニットは、版胴の外周面に刷版を周方向３つ並べて装着し、この状態で印刷を行う。すると、ウェブには、天地長手方向に対して、例えば、Ａ１，Ａ２，Ａ１の絵柄が交互に印刷される。この印刷ユニットで印刷されたウェブは、折ユニットの折畳機構６０１にて、同じ絵柄ごとに横に裁断されてシートＳとなり、横折されて折帖となる。この場合、折畳機構６０１では、Ｂ新聞用の折帖とＣ新聞用の折帖が形成され、別々に排紙している。
【０１６７】
上述した折ユニットでは、印刷が施されて重ねられたウェブＷを裁断した後、シートを第１折込手段（以下、第１折込ユニット）と第２折込手段（以下、第２折込ユニット）との間で振り分ける振分手段を有している。本実施例では、この第１折込ユニットと第２折込ユニットが、折鋸胴６０２の外周部に所定間隔で設けられることで構成される。即ち、第１折込ユニットを構成する針装置６１０，６１１と第２折込ユニットを構成する針装置６１２が折鋸胴６０２の周方向に等間隔で配置され、第１折込ユニットを構成する折ブレード６０７，６０８と第２折込ユニットを構成する折ブレード６０９が折鋸胴６０２の周方向に等間隔で配置されている。従って、折鋸胴６０２の回転に伴って第１折込ユニットと第２折込ユニットが交互に作動することで、裁断した後のシートを折込ローラ６１７ａ，６１７ｂ（第１折込ユニット）側と咥え胴６０３（第２折込ユニット）側とに交互に振り分けることができる。
【０１６８】
また、上述した折ユニットでは、シートを第１折込ユニットと第２折込ユニットとの間で振り分ける第１振分け形態と、シートを第１折込ユニットのみに振り分ける第２振分け形態と、シートを第２折込ユニットのみに振り分ける第３振分け形態とのいずれか一つに切り替える切替手段を有している。なお、この切替手段は、上述した実施例１と同様であることから、説明は省略する。
【０１６９】
従って、本実施例の折畳装置６０１にて、ウェブＷは、折鋸胴６９２と咥え胴６０３の対接部に供給されると、まず、鋸刃６０６により横裁断されると共に、針装置６１２により先端部が保持される。そして、折鋸胴６０２と咥え胴６０３がほぼ１／３回転すると、ウェブＷが鋸刃６０４により横裁断されると共に、針装置６１２によるウェブＷ（シート）の保持が解除される。続いて、折鋸胴６０２の周面から折ブレード６０７が突出し、切断されたシートの長手方向の中間部を押し下げる。すると、このシートは、回転する一対の折込ローラ６１７ａ，６１７ｂに挟持されることで折帖が形成される。そして、形成された折帖は、第１羽根車６１８の各羽根により順次受取られ、第１排紙コンベア６１９上に受け渡され、新聞Ｂを印刷することができる。
【０１７０】
次に、ウェブＷが鋸刃６０４により横裁断され、針装置６１０により先端部が保持されてから、折鋸胴６０２と咥え胴６０３がほぼ１／３回転すると、ウェブＷが鋸刃６０５により横裁断されると共に、針装置６１０によるウェブＷ（シート）の保持が解除される。続いて、折鋸胴６０２の周面から折ブレード６０８が突出し、切断されたシートの長手方向の中間部を押し下げる。すると、このシートは、回転する一対の折込ローラ６１７ａ，６１７ｂに挟持されることで折帖が形成される。そして、形成された折帖は、第１羽根車６１８の各羽根により順次受取られ、第１排紙コンベア６１９上に受け渡され、新聞Ｂを印刷することができる。
【０１７１】
その後、ウェブＷが鋸刃６０５により横裁断され、針装置６１１により先端部が保持されてから、折鋸胴６０２と咥え胴６０２がほぼ６分の１回転すると、針装置６１１によるウェブＷの保持が解除され、折鋸胴６０２の周面から折ブレード６０９が突出し、ウェブＷの所定の位置を咥え胴６０３側に押し出す。すると、ウェブＷは、所定の位置が咥え装置６１６に咥えられ、咥え胴６０３の回転に伴って織り込まれる。続いて、折鋸胴６０２と咥え胴６０３が回転すると、ウェブＷが鋸刃６０６により横裁断され、一対の搬送ベルト６２０，６２１に挟持されることで折帖が形成される。そして、形成された折帖は、第２羽根車６２３の各羽根により順次受取られ、第２排紙コンベア６２４上に受け渡され、新聞Ｃを印刷することができる。
【０１７２】
このように実施例５の折機にあっては、折ユニットとして、折鋸胴６０２と咥え胴６０３を設け、印刷ユニットの版胴の外周面に刷版が周方向３つ並べて装着されていることから、折鋸胴６０２及び咥え胴６０３に周方向に沿って３つの折込ユニットを設けている。具体的には、折鋸胴６０２及び咥え胴６０３に周方向に沿って、第１折込ユニット、第１折込ユニット、第２折込ユニットの順に設けている。
【０１７３】
つまり、印刷ユニットの版胴の外周面に刷版が周方向３つ並べて装着されているということは、版胴の一回転で印刷される印刷物の構成数が３つになるということであり、この場合、折鋸胴６０２及び咥え胴６０３に周方向に沿って３つの折込ユニットを設けている。なお、１枚の刷版に２つの絵柄（新聞の頁）を設けてもよく、この場合、刷版は２枚であっても、印刷物の構成数は３つになる。
【０１７４】
従って、ウェブＷが所定長さに裁断されて形成されたシートは、振分手段により第１折込ユニット、第１折込ユニット、第２折込ユニットの順に振り分けられ、各折込ユニットにより折り畳まれて折帖が形成されて排紙されることとなる。そのため、異なる種類の印刷物、つまり、新聞を第１折込ユニット側と第２折込ユニット側とで同時に印刷することができ、作業効率の向上を図ることができると共に、装置の大型化を抑制することができる。この場合、版胴に装着される刷版の数に応じて各折込手段により順次適正に折り畳まれ、振分手段により適正に振り分けられて排紙されることとなり、作業効率の向上を図ることができる。
【０１７５】
なお、上述した各実施例では、版胴を２倍胴としたときに第１胴及び第２胴を同様の２倍胴とし、版胴を３倍胴としたときに第１胴及び第２胴を同様の３倍胴としたが、この関係に限るものではない、即ち、第１胴及び第２胴は、版胴（周方向に並んで装着された刷版の数）に対して、その整数倍の胴であり、同数の折込手段を周方向に沿って設ければよいものである。
【０１７６】
また、上述した各実施例にて、本発明の印刷機を新聞用オフセット輪転印刷機としたが、この印刷機に限定されるものではなく、商業用オフセット輪転印刷機などに適用することもできる。
【産業上の利用可能性】
【０１７７】
本発明に係る折機並びに印刷機及び印刷方法は、折り畳まれたシートを２箇所に振り分けることで、異なる種類の印刷物を同時に印刷可能とすることで作業効率の向上を図ると共に装置の大型化を抑制可能とするものであり、いずれの印刷機にも適用することができる。
【符号の説明】
【０１７８】
Ｒ  給紙装置
Ｒ１〜Ｒ８  給紙ユニット
Ｕ  印刷装置
Ｕ１〜Ｕ６，Ｕ１１〜Ｕ６２  印刷ユニット
Ｄ  ウェブパス装置
Ｆ  折機
Ｆ１，Ｆ２，Ｆ１１，Ｆ１２  折ユニット
２１  折鋸胴（第１胴）
２２  咥え胴（第２胴）
２３，３０９，４０６，５０６，６１０，６１１  針装置（第１針装置）
２４，３１０，４１０，５１１，６１２  針装置（第２針装置）
２５，２６  カム
２７，３０５，４０４，５０４，６０４，６０５  鋸刃（第１鋸刃）
２８，３０６，４０８，５０９，６０６  鋸刃（第２鋸刃）
３１，３１１，４０５，５１０，６０７，６０８  折ブレード（第１折ブレード）
３２，３１２，４０９，５０５，６０９  折ブレード（第２折ブレード）
３３  固定歯車
３４  カム
３５ａ，３５ｂ，３１４ａ，３１４ｂ，４１２ａ，４１２ｂ，４１５ａ，４１５ｂ  折込ローラ
３８，３１３，５０８，５１３，６１６  咥え装置
４６  フレーム
４７  切替シリンダ
６１  折胴（第３胴）
６２  鋸胴（第４胴）
１０４  第１折畳機構
１０５  第１羽根車
１０６  第１排紙コンベア
１０７  第２羽根車
１０８  第２排紙コンベア
２０４  第２折畳機構
２０５  第３羽根車
２０６  第３排紙コンベア
３０１  折畳機構
３０２  鋸胴（第１胴）
３０３  折胴（第１胴）
３０４  咥え胴（第２胴）
４０１  折畳機構
４０２  折鋸胴（第１胴）
４０３  折鋸胴（第２胴）
５０１  折畳機構
５０２  折鋸咥え胴（第１胴）
５０３  折鋸咥え胴（第２胴）
６０１  折畳機構（第１胴）
６０２  折鋸胴（第２胴）
６０３  咥え胴
Ｗ，Ｗ１，Ｗ２  ウェブ
Ｓ  シート
Ｔ  折帖
Ａ，Ｂ，Ｃ  新聞
【図１】
2010202384.tif 000003
【図２】
2010202384.tif 000004
【図３】
2010202384.tif 000005
【図４】
2010202384.tif 000006
【図５】
2010202384.tif 000007
【図６】
2010202384.tif 000008
【図７】
2010202384.tif 000009
【図８】
2010202384.tif 000010
【図９】
2010202384.tif 000011
【図１０】
2010202384.tif 000012
【図１１】
2010202384.tif 000013
【図１２】
2010202384.tif 000014
【図１３】
2010202384.tif 000015
【図１４】
2010202384.tif 000016
【図１５】
2010202384.tif 000017